(57)【特許請求の範囲】
【請求項１】
方法であって、
伝送側デバイスに通信可能に結合された近接センサによって、物体が前記伝送側デバイスに近接しているかどうかを感知することと、
前記送信側デバイスまたはその一部がヒト身体の一部に近接しているかどうかを決定することであって、少なくとも、
前記送信側デバイスまたはその一部が前記送信側デバイスに通信可能に結合されている画像感知システムの視野内にあるかどうかを決定することと、
前記画像感知システムによって捕捉されるデータを分析することにより、部分的または全体的に、前記送信側デバイスまたは前記その一部が前記画像感知システムの前記視野内にあるかどうかを決定することの結果に基づいて、前記伝送側デバイスまたは前記その一部が前記ヒト身体の前記一部に近接しているかどうかを決定することと
によって行われる、ことと、
部分的または全体的に、前記伝送側デバイスまたは前記その一部が前記ヒト身体の前記一部に近接しているかどうかを決定することの結果に基づいて、前記伝送側デバイスに動作可能に結合されたアンテナの伝送側出力電力を閾値出力電力以下であるように調節することと
を含む、方法。
【請求項２】
方法であって、
伝送側デバイスに通信可能に結合された近接センサによって、前記伝送側デバイスに近接した物体を感知することと、
前記伝送側デバイスに動作可能に結合されたアンテナの送信機出力電力が閾値出力電力より大きいかどうかを決定することと、
前記伝送側デバイスに通信可能に結合されでいる画像感知システムから画像データを取得することと、
前記送信側デバイスがヒト身体の一部に近接しているかどうかを決定することであって、少なくとも、
前記送信側デバイスまたはその一部が前記画像感知システムの視野内にあるかどうかを決定することと、
前記画像感知システムによって捕捉されるデータを分析することにより、部分的または全体的に、前記送信側デバイスまたは前記その一部が前記画像感知システムの前記視野内にあるかどうかを決定することの結果に基づいて、前記伝送側デバイスまたは前記その一部が前記ヒト身体の前記一部に近接しているかどうかを決定することと
によって行われる、ことと、
少なくとも部分的に、前記伝送側デバイスが前記ヒト身体の前記一部に近接しているかどうかを決定することの結果に基づいて、前記送信機出力電力を前記閾値出力電力以下であるように調節することと
を含む、方法。
【請求項３】
前記アンテナが前記送信機出力電力を伝送するように構成されているかどうかを決定することをさらに含む、請求項２に記載の方法。
【請求項４】
前記近接センサが前記伝送側デバイスに近接した前記物体を感知しない場合、前記アンテナの前記送信機出力電力を調節しないことをさらに含む、請求項２に記載の方法。
【請求項５】
前記アンテナの前記送信機出力電力が前記閾値出力電力より大きくないことが決定された場合、ヒト身体近接フラグが設定されているかどうかを決定することをさらに含む、請求項２に記載の方法。
【請求項６】
前記ヒト身体近接フラグが設定されていることが決定された場合、前記方法の実施を所定の時間量遅らせることをさらに含む、請求項５に記載の方法。
【請求項７】
前記ヒト身体近接フラグが設定されていないことが決定された場合、前記アンテナの前記送信機出力電力を調節しないことをさらに含む、請求項５に記載の方法。
【請求項８】
前記画像データが取得された後、ヒト身体近接フラグをクリアすることをさらに含む、請求項２に記載の方法。
【請求項９】
前記伝送側デバイスが前記ヒト身体の前記一部に近接しているかどうかを決定することが確認されることをさらに含む、請求項２に記載の方法。
【請求項１０】
前記伝送側デバイスが前記カメラのＦＯＶ内にないことが確認されることができない場合、ヒト身体近接フラグを設定することをさらに含む、請求項９に記載の方法。
【請求項１１】
前記伝送側デバイスが前記ヒト身体の前記一部に近接していないことが決定された場合、前記アンテナの前記送信機出力電力を調節しないことをさらに含む、請求項２に記載の方法。
【請求項１２】
前記伝送側デバイスが前記ヒト身体の前記一部に近接していることが決定された場合、または、前記伝送側デバイスが前記ヒト身体の前記一部に近接しているかどうかが決定されることができない場合、ヒト身体近接フラグを設定することをさらに含む、請求項２に記載の方法。
【請求項１３】
前記近接センサは、光学センサ、容量タッチセンサ、または機械的ボタンセンサを備える、請求項２に記載の方法。
【請求項１４】
前記アンテナは、前記伝送側デバイスの内部または外部にある、請求項２に記載の方法。
【請求項１５】
前記アンテナは、無線周波数（ＲＦ）信号を伝送するように構成されている、請求項２に記載の方法。
【請求項１６】
前記画像感知システムは、ユーザデバイスに動作可能に結合されている、請求項２に記載の方法。
【請求項１７】
前記ユーザデバイスは、頭部搭載型ディスプレイを備える、請求項１６に記載の方法。
【請求項１８】
システムであって、
伝送側デバイスと、
前記伝送側デバイスに動作可能に結合されたアンテナと、
前記伝送側デバイスに通信可能に結合され、前記伝送側デバイスに近接した物体を感知する近接センサと、
前記伝送側デバイスに通信可能に結合され、画像データを捕捉する画像感知システムと、
プロセッサと
を備え、
前記プロセッサは、少なくとも
前記アンテナの送信機出力電力が閾値出力電力より大きいかどうかを決定することと、
前記送信側デバイスがヒト身体の一部に近接しているかどうかを決定することであって、少なくとも、
前記送信側デバイスまたはその一部が前記画像感知システムの視野内にあるかどうかを決定することと、
前記画像感知システムによって捕捉されるデータを分析することにより、部分的または全体的に、前記送信側デバイスまたは前記その一部が前記画像感知システムの前記視野内にあるかどうかを決定することの結果に基づいて、前記伝送側デバイスまたは前記その一部が前記ヒト身体の前記一部に近接しているかどうかを決定することと
によって行われる、ことと、
少なくとも部分的に、前記伝送側デバイスが前記ヒト身体の前記一部に近接しているかどうかを決定することの結果に基づいて、前記送信機出力電力を前記閾値出力電力以下であるように調節することと
を行うように構成されている、システム。
【請求項１９】
前記プロセッサは、前記アンテナが前記送信機出力電力を伝送するように構成されているかどうかを決定する、請求項１８に記載のシステム。
【請求項２０】
前記プロセッサは、前記伝送側デバイスに前記ヒト身体の前記一部に近接していないことが確認された場合、前記アンテナの前記送信機出力電力を調節しない、請求項１８に記載のシステム。
【請求項２１】
前記プロセッサは、前記プロセッサが前記アンテナの前記送信機出力電力が前記閾値出力電力より大きくないことを決定した場合、ヒト身体近接フラグが設定されているかどうかを決定する、請求項１８に記載のシステム。
【請求項２２】
前記プロセッサの実施は、前記プロセッサが前記ヒト身体近接フラグが設定されていることを決定した場合、所定の時間量遅らせられる、請求項２１に記載のシステム。
【請求項２３】
前記プロセッサは、前記プロセッサが前記ヒト身体近接フラグが設定されていないことを決定した場合、前記アンテナの前記送信機出力電力を調節しない、請求項２１に記載のシステム。
【請求項２４】
前記プロセッサは、前記画像データが捕捉された後、ヒト身体近接フラグをクリアする、請求項１８に記載のシステム。
【請求項２５】
前記プロセッサは、前記伝送側デバイスが前記ヒト身体の前記一部に近接していることが確認されることができるかどうかを決定する、請求項１８に記載のシステム。
【請求項２６】
前記プロセッサは、前記プロセッサが前記伝送側デバイスが前記ヒト身体の前記一部に近接していないことが確認されることができないことを決定した場合、前記アンテナの前記送信機出力電力を閾値出力電力以下であるように調節する、請求項２５に記載のシステム。
【請求項２７】
前記プロセッサは、前記プロセッサが前記伝送側デバイスが前記ヒト身体の前記一部に近接していないことを決定した場合、前記アンテナの前記送信機出力電力を調節しない、請求項１８に記載のシステム。
【請求項２８】
前記プロセッサは、前記プロセッサが前記伝送側デバイスが前記ヒト身体の前記一部に近接していることを決定した場合、または、前記プロセッサが前記伝送側デバイスが前記ヒト身体の前記一部に近接していないかどうかを確認することができない場合、ヒト身体近接フラグを設定する、請求項１８に記載のシステム。
【請求項２９】
前記近接センサは、光学センサ、容量タッチセンサ、または機械的ボタンセンサを備える、請求項１８に記載のシステム。
【請求項３０】
前記アンテナは、前記伝送側デバイスの内部または外部にある、請求項１８に記載のシステム。
【請求項３１】
前記アンテナは、無線周波数（ＲＦ）信号を伝送するように構成されている、請求項１８に記載のシステム。
【請求項３２】
前記画像感知システムは、ユーザデバイスに動作可能に結合されている、請求項１８に記載のシステム。
【請求項３３】
前記ユーザデバイスは、頭部搭載型ディスプレイを備える、請求項３２に記載のシステム。
【発明の詳細な説明】
【技術分野】
【０００１】
本開示は、ポータブルデバイスの送信機アンテナのヒト身体への近接を決定することに関する。特に、比吸収率（ＳＡＲ）要件を満たすために送信機出力電力（ＰＴＸ）を限定するために、ポータブルデバイスの送信機アンテナのヒト身体への近接を決定することに関する。
【背景技術】
【０００２】
一般大衆によって使用されるポータブルデバイスは、規制比吸収率（ＳＡＲ）コンプライアンス要件（例えば、連邦通信委員会（ＦＣＣ）第１５章−無線周波数（ＲＦ）ばく露要件参照）を満たす必要がある。ポータブルデバイスから（特に、デバイスのＲＦ送信機アンテナから）のＲＦエネルギーへのユーザのばく露を規制閾値下に限定する必要性は、あるユースケースにおいて、送信機電力を最大送信機電力（ＰＭＡＸ）を下回るレベル（ＰＳＡＲＭＡＸ）に限定する必要性を余儀なくさせ得る。ポータブルデバイスが他のユースケースシナリオにおけるよりヒト身体に近くあり得る間、デバイスからのユーザへのＲＦばく露は、デバイスの送信機がその最大送信機電力で動作することを可能にする場合、規制ＳＡＲばく露限界を超え得る。
【０００３】
他方では、デバイスがヒト身体に近くない、またはデバイスがコンプライアンス限界より大きいＳＡＲばく露を生じさせないように動作させられている状況において、デバイスの送信機電力を不必要に削減することは、低減した無線リンク性能およびネットワーク範囲（例えば、セルラーネットワーク、無線ローカルエリアネットワーク（ＷＬＡＮ）ネットワーク内等）をもたらすであろう。したがって、ＲＦデバイスの近接したヒトとの関係を決定し、ＳＡＲ要件内の最大許容可能送信機電力を決定するための改良された設計の必要がある。
【発明の概要】
【課題を解決するための手段】
【０００４】
本開示は、ポータブルデバイスのヒト身体への近接に従って、ＳＡＲ要件を満たすように送信機出力電力（ＰＴＸ）を調節するための方法、システム、および装置に関する。１つ以上の実施形態では、ＰＴＸを調節する方法は、伝送側デバイスに通信可能に結合された近接センサによって、物体が伝送側デバイスに近接しているかどうかを感知することを含む。方法は、近接センサが、物体が伝送側デバイスに近接していることを感知した場合、カメラからの画像を分析し、伝送側デバイスがヒト身体の一部に近接しているかどうかを決定することをさらに含む。さらに、方法は、伝送側デバイスがヒト身体の一部に近接していることが決定された場合、または伝送側デバイスがヒト身体の一部に近接しているかどうかが決定されることができない場合、伝送側デバイスに動作可能に結合されたアンテナのＰＴＸをＳＡＲ閾値出力電力（ＰＳＡＲＭＡＸ）以下であるように調節することを含む。
【０００５】
１つ以上の実施形態では、方法は、伝送側デバイスに通信可能に結合された近接センサによって、物体が伝送側デバイスに近接していることを感知することをさらに含む。方法は、近接センサが、物体が伝送側デバイスに近接していることを感知した場合、伝送側デバイスに動作可能に結合されたアンテナのＰＴＸがＳＡＲ閾値出力電力（ＰＳＡＲＭＡＸ）より大きいかどうかを決定することも含む。加えて、方法は、カメラからの画像を取得することを含む。加えて、方法は、アンテナのＰＴＸがＰＳＡＲＭＡＸより大きいことが決定された場合、画像を分析し、伝送側デバイスがヒト身体の一部に近接しているかどうかを決定することを含む。さらに、方法は、伝送側デバイスがヒト身体の一部に近接していることが決定された場合、または伝送側デバイスがヒト身体の一部に近接しているかどうかが決定されることができない場合、アンテナのＰＴＸをＰＳＡＲＭＡＸ以下であるように調節することを含む。
【０００６】
少なくとも一実施形態では、方法は、アンテナが伝送中であるかどうかを決定することをさらに含む。
【０００７】
少なくとも一実施形態では、方法は、近接センサが、物体が伝送側デバイスに近接していることを感知しない場合、アンテナのＰＴＸを調節しないことをさらに含む。
【０００８】
１つ以上の実施形態では、方法は、アンテナのＰＴＸがＰＳＡＲＭＡＸより大きくないことが決定された場合、ヒト身体近接フラグが設定されているかどうかを決定することをさらに含む。
【０００９】
少なくとも一実施形態では、方法は、ヒト身体近接フラグが設定されていることが決定された場合、方法の実施を所定の時間量遅らせることをさらに含む。
【００１０】
１つ以上の実施形態では、方法は、ヒト身体近接フラグが設定されていないことが決定された場合、アンテナのＰＴＸを調節しないことをさらに含む。
【００１１】
少なくとも一実施形態では、方法は、画像の取得後、ヒト身体近接フラグをクリアすることをさらに含む。
【００１２】
少なくとも一実施形態では、方法は、画像を分析することによって、伝送側デバイスがカメラの視野（ＦＯＶ）内にあるかどうかを決定することをさらに含む。
【００１３】
１つ以上の実施形態では、方法は、伝送側デバイスがカメラのＦＯＶ内にないことが決定された場合、アンテナのＰＴＸをＰＳＡＲＭＡＸ以下であるように調節することをさらに含む。
【００１４】
少なくとも一実施形態では、方法は、伝送側デバイスがヒト身体の一部に近接していないことが決定された場合、アンテナのＰＴＸを調節しないことをさらに含む。
【００１５】
１つ以上の実施形態では、方法は、伝送側デバイスがヒト身体の一部に近接していることが決定された場合、または伝送側デバイスがヒト身体の一部に近接しているかどうかが決定されることができない場合、ヒト身体近接フラグを設定することをさらに含む。
【００１６】
少なくとも一実施形態では、近接センサは、光学センサ、容量タッチセンサ、または機械的ボタンセンサである。
【００１７】
１つ以上の実施形態では、アンテナは、伝送側デバイスの内部または外部にある。
【００１８】
少なくとも一実施形態では、アンテナは、無線周波数（ＲＦ）信号を伝送している。
【００１９】
１つ以上の実施形態では、カメラは、ユーザデバイスに動作可能に結合される。
【００２０】
少なくとも一実施形態では、ユーザデバイスは、頭部搭載型ディスプレイである。
【００２１】
１つ以上の実施形態では、送信機出力電力（ＰＴＸ）を調節するためのシステムは、伝送側デバイスを備えている。システムは、伝送側デバイスに動作可能に結合されたアンテナをさらに備えている。システムは、伝送側デバイスに通信可能に結合され、物体が伝送側デバイスに近接していることを感知する近接センサも備えている。加えて、システムは、画像を取得するためのカメラを備えている。さらに、システムは、（１）近接センサが、物体が伝送側デバイスに近接していることを感知した場合、アンテナのＰＴＸがＳＡＲ閾値出力電力（ＰＳＡＲＭＡＸ）より大きいかどうかを決定し、（２）アンテナのＰＴＸがＰＳＡＲＭＡＸより大きいことが決定された場合、画像を分析し、伝送側デバイスがヒト身体の一部に近接しているかどうかを決定し、（３）伝送側デバイスがヒト身体の一部に近接していることが決定された場合、または伝送側デバイスがヒト身体の一部に近接しているかどうかが決定されることができない場合、アンテナのＰＴＸをＰＳＡＲＭＡＸ以下であるように調節するためのプロセッサを備えている。
【００２２】
少なくとも一実施形態では、プロセッサは、アンテナが伝送中であるかどうかを決定する。
【００２３】
少なくとも一実施形態では、プロセッサは、近接センサが、物体が伝送側デバイスに近接していることを感知しない場合、アンテナのＰＴＸを調節しない。
【００２４】
１つ以上の実施形態では、プロセッサは、プロセッサがアンテナのＰＴＸがＰＳＡＲＭＡＸより大きくないことを決定した場合、ヒト身体近接フラグが設定されているかどうかを決定する。
【００２５】
少なくとも一実施形態では、プロセッサの実施は、プロセッサが、ヒト身体近接フラグが設定されていることを決定した場合、所定の時間量遅らせられる。
【００２６】
１つ以上の実施形態では、プロセッサは、プロセッサが、ヒト身体近接フラグが設定されていないことを決定した場合、アンテナのＰＴＸを調節しない。
【００２７】
少なくとも一実施形態では、プロセッサは、カメラが画像を取得後、ヒト身体近接フラグをクリアする。
【００２８】
１つ以上の実施形態では、プロセッサは、画像を分析することによって、伝送側デバイスがカメラのＦＯＶ内にあるかどうかを決定する。
【００２９】
少なくとも一実施形態では、プロセッサは、プロセッサが、伝送側デバイスがカメラのＦＯＶ内にないことを決定した場合、アンテナのＰＴＸをＰＳＡＲＭＡＸ以下であるように調節する。
【００３０】
１つ以上の実施形態では、プロセッサは、プロセッサが、伝送側デバイスがヒト身体の一部に近接していないことを決定した場合、アンテナのＰＴＸを調節しない。
【００３１】
少なくとも一実施形態では、プロセッサは、プロセッサが、伝送側デバイスがヒト身体の一部に近接していることを決定した場合、または伝送側デバイスがヒト身体の一部に近接しているかどうかが決定されることができない場合、ヒト身体近接フラグを設定する。１つ以上の実施形態では、近接センサは、光学センサ、容量タッチセンサ、または機械的ボタンセンサである。
【００３２】
１つ以上の実施形態では、ＲＦ伝送電力の最大レベルを調節する方法は、コンピューティングデバイスの環境に対するコンピューティングデバイスの少なくとも１つの無線周波数（ＲＦ）アンテナの１つ以上の条件を監視するように構成された少なくとも１つのセンサから出力データを取得することと、少なくとも１つのセンサから取得される出力データが、少なくとも１つのＲＦアンテナの現在の動作パラメータの下で、１つ以上の物体が１つ以上の閾値を超えるＲＦエネルギーのレベルにさらされているような様式において、コンピューティングデバイスがコンピューティングデバイスの環境内に位置している１つ以上の物体に対して位置付けられていることを示すことを決定することと、少なくとも１つのセンサから取得される出力データが、少なくとも１つのＲＦアンテナの現在の動作パラメータの下で、１つ以上の物体が１つ以上の閾値を超えるＲＦエネルギーのレベルにさらされていることを示すことを決定することに応答して、１つ以上の画像を少なくとも１つのカメラから取得することと、１つ以上の画像を処理することと、少なくとも１つのカメラから取得される１つ以上の画像を処理することに基づいて、１つ以上の画像が、１つ以上の物体のうちのどれもが生物学的にヒトではないことを確認する働きをしていないことを決定することと、１つ以上の画像が、１つ以上の物体のうちのどれもが生物学的にヒトではないことを確認する働きをしていないことを決定することに応答して、少なくとも１つのアンテナがＲＦ信号を伝送するための電力の最大レベルを調節することとを含む。
【００３３】
いくつかの実施形態では、少なくとも１つのカメラから取得される１つ以上の画像を処理することは、１つ以上の画像認識プロセスを実施し、１つ以上の画像に示される特定の物体を識別することを含む。
【００３４】
そのような実施形態のうちのいくつかでは、１つ以上の画像が、１つ以上の物体のうちのどれもが生物学的にヒトではないことを確認する働きをしていないことを決定することは、少なくとも１つのカメラから取得される１つ以上の画像を処理することに基づいて、コンピューティングデバイスが１つ以上の画像において示されていると識別されないことを決定することを含む。
【００３５】
そのような実施形態のうちのいくつかでは、１つ以上の画像が、１つ以上の物体のうちのどれもが生物学的にヒトではないことを確認する働きをしていないことを決定することは、少なくとも１つのカメラから取得される１つ以上の画像を処理することに基づいて、１つ以上の物体のうちの少なくとも１つがヒト身体またはその一部であると識別されることを決定することを含む。
【００３６】
そのような実施形態のうちのいくつかでは、１つ以上の画像が、１つ以上の物体のうちのどれもが生物学的にヒトではないことを確認する働きをしていないことを決定することは、少なくとも１つのカメラから取得される１つ以上の画像を処理することに基づいて、１つ以上の物体のうちの少なくとも１つが、識別不能であること、または１つ以上の画像において示されていると識別されないことを決定することを含む。
【００３７】
いくつかの実施形態では、少なくとも１つのセンサは、少なくとも１つのアンテナとコンピューティングデバイスの環境内に位置している物理的物体との間の距離を監視するように構成された近接センサである。これらの実施形態のうちのいくつかでは、少なくとも１つのセンサから取得される出力データが、少なくとも１つのＲＦアンテナの現在の動作パラメータの下で、１つ以上の物体が１つ以上の閾値を超えるＲＦエネルギーのレベルにさらされているような様式において、コンピューティングデバイスがコンピューティングデバイスの環境内に位置している１つ以上の物体に対して位置付けられていることを示すことを決定することは、少なくとも１つのセンサから取得される出力データをルックアップテーブルに対して評価することと、評価結果に基づいて、コンピューティングデバイスが、少なくとも１つのＲＦアンテナの現在の動作パラメータの下で、１つ以上の物体が１つ以上の閾値を超えるＲＦエネルギーのレベルにさらされているように、１つ以上の物体に十分に近接して位置付けられていることを決定することとを含む。
【００３８】
いくつかの実施形態では、少なくとも１つのセンサは、コンピューティングデバイスの環境に対するコンピューティングデバイスの向きを監視するように構成された向きセンサである。
【００３９】
１つ以上の実施形態では、コンピューティングシステムは、物理的筐体構造と、その少なくとも一部が、物理的筐体構造内に含まれるか、またはそれに取り付けられた複数の電子ハードウェアコンポーネントとを備えている。複数の電子ハードウェアコンポーネントは、無線周波数（ＲＦ）信号を伝送するための少なくとも１つのアンテナと、物理的筐体構造の環境に対する少なくとも１つのアンテナの１つ以上の条件を監視するように構成された少なくとも１つのセンサと、少なくとも１つのカメラと、少なくとも１つのアンテナ、少なくとも１つのセンサ、および少なくとも１つのカメラに通信可能に結合された少なくとも１つのプロセッサとを含み得る。少なくとも１つのプロセッサは、出力データを少なくとも１つのセンサから取得し、少なくとも１つのセンサから取得される出力データが、少なくとも１つのアンテナの現在の動作パラメータの下で、１つ以上の物体が１つ以上の閾値を超えるＲＦエネルギーのレベルにさらされているような様式において、物理的筐体構造が物理的筐体構造の環境内に位置している１つ以上の物体に対して位置付けられていることを示すかどうかを決定し、少なくとも１つのセンサから取得される出力データが、少なくとも１つのアンテナの現在の動作パラメータの下で、１つ以上の物体が１つ以上の閾値を超えるＲＦエネルギーのレベルにさらされていることを示すことを決定することに応答して、１つ以上の画像を少なくとも１つのカメラから取得し、少なくとも１つのカメラから取得される１つ以上の画像を処理し、１つ以上の画像が、１つ以上の物体のうちのどれもが生物学的にヒトではないことを確認する働きをしているかどうかを決定し、１つ以上の画像が１つ以上の物体のうちのどれもが生物学的にヒトではないことを確認する働きをしているかどうかを決定することに基づいて、少なくとも１つのアンテナがＲＦ信号を伝送するための電力の最大レベルを決定し、および、決定された電力の最大レベル以下の電力のレベルでＲＦ信号を伝送するように少なくとも１つのアンテナを制御するように構成され得る。
【００４０】
少なくとも一実施形態では、少なくとも１つのプロセッサは、物理的筐体構造内に含まれるか、またはそれに取り付けられた複数の電子ハードウェアコンポーネントのうちの一部に属さない。
【００４１】
いくつかの実施形態では、少なくとも１つのカメラは、物理的筐体構造内に含まれるか、またはそれに取り付けられた複数の電子ハードウェアコンポーネントのうちの一部に属さない。
【００４２】
これらの実施形態のうちのいくつかでは、少なくとも１つのカメラは、物理的筐体構造から物理的に場所を移されたユーザデバイス内に含まれるか、またはそれに取り付けられている。これらの実施形態のうちの少なくとも１つでは、ユーザデバイスは、ヘッドセットである。これらの実施形態の別のものでは、ユーザデバイスは、ハンドヘルドコントローラである。
【００４３】
これらの実施形態のうちのいくつかでは、少なくとも１つのセンサは、物理的筐体構造の環境に対して、物理的筐体構造内に含まれるか、またはそれに取り付けられた複数の電子ハードウェアコンポーネントのうちの一部に属する少なくとも１つのアンテナの１つ以上の条件を監視するように構成される。
【００４４】
いくつかの実施形態では、複数の電子ハードウェアコンポーネントは、少なくとも１つのプロセッサに通信可能に結合された少なくとも１つのユーザインターフェースコンポーネントをさらに備えている。これらの実施形態のうちの少なくとも１つでは、少なくとも１つのプロセッサは、１つ以上の画像が、１つ以上の物体のうちのどれもが生物学的にヒトではないことを確認する働きをしていないことを決定することに応答して、少なくとも１つのユーザインターフェースコンポーネントを通して出力するための１つ以上のアラートを提供するようにさらに構成される。
【００４５】
特徴、機能、および利点は、本開示の種々の実施形態では、独立して達成されることができるか、または、それらは、さらに他の実施形態では、組み合わせられ得る。
本願明細書は、例えば、以下の項目も提供する。
（項目１）
送信機出力電力（ＰＴＸ）を調節する方法であって、前記方法は、
伝送側デバイスに通信可能に結合された近接センサによって、物体が前記伝送側デバイスに近接しているかどうかを感知することと、
前記近接センサが前記伝送側デバイスに前記物体が近接していることを感知した場合、カメラからの画像を分析し、前記伝送側デバイスがヒト身体の一部に近接しているかどうかを決定することと、
前記伝送側デバイスが前記ヒト身体の前記一部に近接していることが決定された場合、または、前記伝送側デバイスがヒト身体の一部に近接しているかどうかが決定されることができない場合、前記伝送側デバイスに動作可能に結合されたアンテナの前記ＰＴＸを比吸収率（ＳＡＲ）閾値出力電力（ＰＳＡＲＭＡＸ）以下であるように調節することと
を含む、方法。
（項目２）
送信機出力電力（ＰＴＸ）を調節する方法であって、前記方法は、
伝送側デバイスに通信可能に結合された近接センサによって、前記伝送側デバイスに近接した物体を感知することと、
前記近接センサが前記伝送側デバイスに近接した前記物体を感知した場合、前記伝送側デバイスに動作可能に結合されたアンテナの前記ＰＴＸが比吸収率（ＳＡＲ）閾値出力電力（ＰＳＡＲＭＡＸ）より大きいかどうかを決定することと、
カメラからの画像を取得することと、
前記アンテナの前記ＰＴＸが前記ＰＳＡＲＭＡＸより大きいことが決定された場合、前記画像を分析し、前記伝送側デバイスがヒト身体の一部に近接しているかどうかを決定することと、
前記伝送側デバイスが前記ヒト身体の前記一部に近接していることが決定された場合、または、前記伝送側デバイスがヒト身体の一部に近接しているかどうかが決定されることができない場合、前記アンテナの前記ＰＴＸをＰＳＡＲＭＡＸ以下であるように調節することと
を含む、方法。
（項目３）
前記アンテナが伝送中であるかどうかを決定することをさらに含む、項目２に記載の方法。
（項目４）
前記近接センサが前記伝送側デバイスに近接した前記物体を感知しない場合、前記アンテナの前記ＰＴＸを調節しないことをさらに含む、項目２に記載の方法。
（項目５）
前記アンテナの前記ＰＴＸが前記ＰＳＡＲＭＡＸより大きくないことが決定された場合、ヒト身体近接フラグが設定されているかどうかを決定することをさらに含む、項目２に記載の方法。
（項目６）
前記ヒト身体近接フラグが設定されていることが決定された場合、前記方法の実施を所定の時間量遅らせることをさらに含む、項目５に記載の方法。
（項目７）
前記ヒト身体近接フラグが設定されていないことが決定された場合、前記アンテナのＰＴＸを調節しないことをさらに含む、項目５に記載の方法。
（項目８）
前記画像の取得後、ヒト身体近接フラグをクリアすることをさらに含む、項目２に記載の方法。
（項目９）
前記画像を分析することによって、前記伝送側デバイスが前記カメラの視野（ＦＯＶ）内にあるかどうかを決定することをさらに含む、項目２に記載の方法。
（項目１０）
前記伝送側デバイスが前記カメラのＦＯＶ内にないことが決定された場合、前記アンテナの前記ＰＴＸをＰＳＡＲＭＡＸ以下であるように調節することをさらに含む、項目９に記載の方法。
（項目１１）
前記伝送側デバイスが前記ヒト身体の一部に近接していないことが決定された場合、前記アンテナの前記ＰＴＸを調節しないことをさらに含む、項目２に記載の方法。
（項目１２）
前記伝送側デバイスが前記ヒト身体の前記一部に近接していることが決定された場合、または、前記伝送側デバイスがヒト身体の一部に近接しているかどうかが決定されることができない場合、ヒト身体近接フラグを設定することをさらに含む、項目２に記載の方法。
（項目１３）
前記近接センサは、光学センサ、容量タッチセンサ、または機械的ボタンセンサのうちの１つである、項目２に記載の方法。
（項目１４）
前記アンテナは、前記伝送側デバイスの内部または外部のうちの１つにある、項目２に記載の方法。
（項目１５）
前記アンテナは、無線周波数（ＲＦ）信号を伝送している、項目２に記載の方法。
（項目１６）
前記カメラは、ユーザデバイスに動作可能に結合されている、項目２に記載の方法。
（項目１７）
前記ユーザデバイスは、頭部搭載型ディスプレイである、項目１６に記載の方法。
（項目１８）
送信機出力電力（ＰＴＸ）を調節するためのシステムであって、前記システムは、
伝送側デバイスと、
前記伝送側デバイスに動作可能に結合されたアンテナと、
前記伝送側デバイスに通信可能に結合され、前記伝送側デバイスに近接した物体を感知する近接センサと、
画像を取得するためのカメラと、
プロセッサと
を備え、
前記プロセッサは、
前記近接センサが前記伝送側デバイスに近接した前記物体を感知した場合、前記アンテナの前記ＰＴＸが比吸収率（ＳＡＲ）閾値出力電力（ＰＳＡＲＭＡＸ）より大きいかどうかを決定することと、
前記アンテナのＰＴＸが前記ＰＳＡＲＭＡＸより大きいことが決定された場合、前記画像を分析し、前記伝送側デバイスがヒト身体の一部に近接しているかどうかを決定することと、
前記伝送側デバイスが前記ヒト身体の前記一部に近接していることが決定された場合、または、前記伝送側デバイスがヒト身体の一部に近接しているかどうかが決定されることができない場合、前記アンテナの前記ＰＴＸをＰＳＡＲＭＡＸ以下であるように調節することと
を行う、システム。
（項目１９）
前記プロセッサは、前記アンテナが伝送中であるかどうかを決定する、項目１８に記載のシステム。
（項目２０）
前記プロセッサは、前記近接センサが前記伝送側デバイスに近接した前記物体を感知しない場合、前記アンテナの前記ＰＴＸを調節しない、項目１８に記載のシステム。
（項目２１）
前記プロセッサは、前記プロセッサが前記アンテナの前記ＰＴＸが前記ＰＳＡＲＭＡＸより大きくないことを決定した場合、ヒト身体近接フラグが設定されているかどうかを決定する、
項目１８に記載のシステム。
（項目２２）
前記プロセッサの実施は、前記プロセッサが前記ヒト身体近接フラグが設定されていることを決定した場合、所定の時間量遅らせられる、項目２１に記載のシステム。
（項目２３）
前記プロセッサは、前記プロセッサが前記ヒト身体近接フラグが設定されていないことを決定した場合、前記アンテナの前記ＰＴＸを調節しない、項目２１に記載のシステム。
（項目２４）
前記プロセッサは、前記カメラが前記画像を取得後、ヒト身体近接フラグをクリアする、項目１８に記載のシステム。
（項目２５）
前記プロセッサは、前記画像を分析することによって、前記伝送側デバイスが前記カメラの視野（ＦＯＶ）内にあるかどうかを決定する、項目１８に記載のシステム。
（項目２６）
前記プロセッサは、前記プロセッサが前記伝送側デバイスが前記カメラのＦＯＶ内にないことを決定した場合、前記アンテナの前記ＰＴＸをＰＳＡＲＭＡＸ以下であるように調節する、項目２５に記載のシステム。
（項目２７）
前記プロセッサは、前記プロセッサが前記伝送側デバイスが前記ヒト身体の前記一部に近接していないことを決定した場合、前記アンテナの前記ＰＴＸを調節しない、項目１８に記載のシステム。
（項目２８）
前記プロセッサは、前記プロセッサが前記伝送側デバイスが前記ヒト身体の前記一部に近接していることを決定した場合、または、前記伝送側デバイスがヒト身体の一部に近接しているかどうかが決定されることができない場合、ヒト身体近接フラグを設定する、項目１８に記載のシステム。
（項目２９）
前記近接センサは、光学センサ、容量タッチセンサ、または機械的ボタンセンサのうちの１つである、項目１８に記載のシステム。
（項目３０）
前記アンテナは、前記伝送側デバイスの内部または外部のうちの１つにある、項目１８に記載のシステム。
（項目３１）
前記アンテナは、無線周波数（ＲＦ）信号を伝送している、項目１８に記載のシステム。
（項目３２）
前記カメラは、ユーザデバイスに動作可能に結合されている、項目１８に記載のシステム。
（項目３３）
前記ユーザデバイスは、頭部搭載型ディスプレイである、項目３２に記載のシステム。
（項目３４）
コンピュータ実装方法であって、前記方法は、
少なくとも１つのセンサから出力データを取得することであって、前記少なくとも１つのセンサは、コンピューティングデバイスの環境に関して前記コンピューティングデバイスの少なくとも１つの無線周波数（ＲＦ）アンテナの１つ以上の条件を監視するように構成されている、ことと、
前記少なくとも１つのＲＦアンテナの現在の動作パラメータの下で、１つ以上の物体が１つ以上の閾値を超えるＲＦエネルギーのレベルにさらされているような様式において、前記コンピューティングデバイスが前記コンピューティングデバイスの前記環境内に位置している前記１つ以上の物体に対して位置付けられていることを前記少なくとも１つのセンサから取得される出力データが示すことを決定することと、
前前記少なくとも１つのＲＦアンテナの現在の動作パラメータの下で、前記１つ以上の物体が１つ以上の閾値を超えるＲＦエネルギーのレベルにさらされていることを前記少なくとも１つのセンサから取得される前記出力データが示すことを決定することに応答して、１つ以上の画像を少なくとも１つのカメラから取得することと、
前記１つ以上の画像を処理することと、
前記少なくとも１つのカメラから取得される前記１つ以上の画像を処理することに基づいて、前記１つ以上の画像が前記１つ以上の物体のうちのどれもが生物学的にヒトではないことを確認する働きをしていないことを決定することと、
前記１つ以上の画像が前記１つ以上の物体のうちのどれもが生物学的にヒトではないことを確認する働きをしていないことを決定することに応答して、前記少なくとも１つのアンテナがＲＦ信号を伝送するための電力の最大レベルを調節することと
を含む、方法。
（項目３５）
前記少なくとも１つのカメラから取得される前記１つ以上の画像を処理することは、１つ以上の画像認識プロセスを実施し、前記１つ以上の画像に示される特定の物体を識別することを含む、項目３４に記載の方法。
（項目３６）
前記１つ以上の画像が前記１つ以上の物体のうちのどれもが生物学的にヒトではないことを確認する働きをしていないことを決定することは、前記少なくとも１つのカメラから取得される前記１つ以上の画像を処理することに基づいて、前記コンピューティングデバイスが前記１つ以上の画像において示されていないと識別されることを決定することを含む、項目３５に記載の方法。
（項目３７）
前記１つ以上の画像が前記１つ以上の物体のうちのどれもが生物学的にヒトではないことを確認する働きをしていないことを決定することは、
前記少なくとも１つのカメラから取得される前記１つ以上の画像を処理することに基づいて、前記１つ以上の物体のうちの少なくとも１つがヒト身体またはその一部であると識別されることを決定することを含む、項目３５に記載の方法。
（項目３８）
前記１つ以上の画像が前記１つ以上の物体のうちのどれもが生物学的にヒトではないことを確認する働きをしていないことを決定することは、
前記少なくとも１つのカメラから取得される前記１つ以上の画像を処理することに基づいて、前記１つ以上の物体のうちの少なくとも１つが、識別不能であること、または前記１つ以上の画像において示されていると識別されないことを決定することを含む、項目３５に記載の方法。
（項目３９）
前記少なくとも１つのセンサは、前記少なくとも１つのアンテナと前記コンピューティングデバイスの前記環境内に位置している物理的物体との間の距離を監視するように構成された近接センサを備えている、項目３４に記載の方法。
（項目４０）
前記少なくとも１つのＲＦアンテナの現在の動作パラメータの下で、１つ以上の物体が１つ以上の閾値を超えるＲＦエネルギーのレベルにさらされているような様式において、前記コンピューティングデバイスが前記コンピューティングデバイスの前記環境内に位置している前記１つ以上の物体に対して位置付けられていることを前記少なくとも１つのセンサから取得される前記出力データが示すことを決定することは、
前記少なくとも１つのセンサから取得される前記出力データをルックアップテーブルに対して評価することと、
前記評価結果に基づいて、前記少なくとも１つのＲＦアンテナの現在の動作パラメータの下で、前記１つ以上の物体が１つ以上の閾値を超えるＲＦエネルギーのレベルにさらされているように、前記コンピューティングデバイスが前記１つ以上の物体に十分に近接して位置付けられていることを決定することと
を含む、項目３９に記載の方法。
（項目４１）
前記少なくとも１つのセンサは、前記コンピューティングデバイスの前記環境に対する前記コンピューティングデバイスの向きを監視するように構成された向きセンサをさらに備えている、項目３９に記載の方法。
（項目４２）
コンピューティングシステムであって、前記コンピューティングシステムは、
物理的筐体構造と、
複数の電子ハードウェアコンポーネントと
を備え、
前記複数の電子ハードウェアコンポーネントのうちの少なくとも一部は、前記物理的筐体構造内に含まれるか、またはそれに取り付けられており、前記複数の電子ハードウェアコンポーネントは、
無線周波数（ＲＦ）信号を伝送するための少なくとも１つのアンテナと、
前記物理的筐体構造の環境に対する前記少なくとも１つのアンテナの１つ以上の条件を監視するように構成された少なくとも１つのセンサと、
少なくとも１つのカメラと、
前記少なくとも１つのアンテナ、前記少なくとも１つのセンサ、および前記少なくとも１つのカメラに通信可能に結合された少なくとも１つのプロセッサと
を備え、
前記少なくとも１つのプロセッサは、
前記少なくとも１つのセンサから出力データを取得することと、
前記少なくとも１つのアンテナの現在の動作パラメータの下で、１つ以上の物体が１つ以上の閾値を超えるＲＦエネルギーのレベルにさらされているような様式において、前記物理的筐体構造が前記物理的筐体構造の前記環境内に位置している前記１つ以上の物体に対して位置付けられていることを前記少なくとも１つのセンサから取得される出力データが示すかどうかを決定することと、
前記少なくとも１つのアンテナの現在の動作パラメータの下で、前記１つ以上の物体が１つ以上の閾値を超えるＲＦエネルギーのレベルにさらされていることを示すことを前記少なくとも１つのセンサから取得される出力データが決定することに応答して、１つ以上の画像を前記少なくとも１つのカメラから取得することと、
前記少なくとも１つのカメラから取得される１つ以上の画像を処理し、前記１つ以上の画像が前記１つ以上の物体のうちのどれもが生物学的にヒトではないことを確認する働きをしているかどうかを決定することと、
前記１つ以上の画像が前記１つ以上の物体のうちのどれもが生物学的にヒトではないことを確認する働きをしているかどうかを決定することに基づいて、前記少なくとも１つのアンテナがＲＦ信号を伝送するための電力の最大レベルを決定することと、
前記決定された電力の最大レベル以下の電力のレベルでＲＦ信号を伝送するように前記少なくとも１つのアンテナを制御することと
を行うように構成されている、コンピューティングシステム。
（項目４３）
前記少なくとも１つのプロセッサは、前記物理的筐体構造内に含まれるか、またはそれに取り付けられた前記複数の電子ハードウェアコンポーネントのうちの前記一部に属さない、項目４２に記載のコンピューティングシステム。
（項目４４）
前記少なくとも１つのカメラは、前記物理的筐体構造内に含まれるか、またはそれに取り付けられた前記複数の電子ハードウェアコンポーネントのうちの前記一部に属さない、項目４２に記載のコンピューティングシステム。
（項目４５）
前記少なくとも１つのカメラは、前記物理的筐体構造から物理的に場所を移されたユーザデバイス内に含まれるか、またはそれに取り付けられている、項目４４に記載のコンピューティングシステム。
（項目４６）
前記ユーザデバイスは、ヘッドセットを備えている、項目４５に記載のコンピューティングシステム。
（項目４７）
前記ユーザデバイスは、ハンドヘルドコントローラを備えている、項目４５に記載のコンピューティングシステム。
（項目４８）
前記少なくとも１つのセンサは、前記物理的筐体構造の前記環境に対する前記少なくとも１つのアンテナの１つ以上の条件を監視するように構成され、前記少なくとも１つのアンテナは、前記物理的筐体構造内に含まれるか、またはそれに取り付けられた前記複数の電子ハードウェアコンポーネントのうちの前記一部に属する、項目４４に記載のコンピューティングシステム。
（項目４９）
前記複数の電子ハードウェアコンポーネントは、前記少なくとも１つのプロセッサに通信可能に結合された少なくとも１つのユーザインターフェースコンポーネントをさらに備えている、項目４２に記載のコンピューティングシステム。
（項目５０）
前記少なくとも１つのプロセッサは、前記１つ以上の画像が前記１つ以上の物体のうちのどれもが生物学的にヒトではないことを確認する働きをしていないことを決定することに応答して、前記少なくとも１つのユーザインターフェースコンポーネントを通して出力するための１つ以上のアラートを提供するようにはさらに構成されている、項目４２に記載のコンピューティングシステム。
【００４６】
本開示のこれらおよび他の特徴、側面、ならびに利点は、以下の説明、添付の請求項、および付随の図面に関してより深く理解されるであろう。
【図面の簡単な説明】
【００４７】
【図１Ａ】図１Ａは、本開示の少なくとも一実施形態による、比吸収率（ＳＡＲ）要件を満たすように送信機出力電力（ＰＴＸ）を限定するために、ポータブルデバイスの送信機アンテナのヒト身体への近接を決定するための開示されるシステムを示すブロック図である。
【図１Ｂ】図１Ｂは、本開示の少なくとも一実施形態による、比吸収率（ＳＡＲ）要件を満たすように送信機出力電力（ＰＴＸ）を限定するために、ポータブルデバイスの送信機アンテナのヒト身体への近接を決定するための開示されるシステムを含む拡張現実システムを示す略図である。
【図２】図２は、本開示の少なくとも一実施形態による、ＳＡＲ要件を満たすように送信機出力電力（ＰＴＸ）を限定するために、ポータブルデバイスの送信機アンテナのヒト身体への近接を決定するための開示される方法のためのフローチャートを示す略図である。
【図３】図３は、本開示の少なくとも一実施形態による、ポータブルデバイスがヒト身体上に位置しない場合における、ＳＡＲ要件を満たすように送信機出力電力（ＰＴＸ）を限定するために、ポータブルデバイスの送信機アンテナのヒト身体への近接を決定するための開示されるシステムを示す略図である。
【図４】図４は、本開示の少なくとも一実施形態による、ポータブルデバイスがヒト身体上に位置する場合における、ＳＡＲ要件を満たすように送信機出力電力（ＰＴＸ）を限定するために、ポータブルデバイスの送信機アンテナのヒト身体への近接を決定するための開示されるシステムを示す略図である。
【図５】図５は、本開示の少なくとも一実施形態による、ポータブルデバイスがヒト身体上に位置しない場合における、ＳＡＲ要件を満たすように送信機出力電力（ＰＴＸ）を限定するために、ポータブルデバイスの送信機アンテナのヒト身体への近接を決定するための開示されるシステムを示す略図である。
【図６】図６は、本開示の少なくとも一実施形態による、ポータブルデバイスがヒト身体上に隣接して位置する場合における、ＳＡＲ要件を満たすように送信機出力電力（ＰＴＸ）を限定するために、ポータブルデバイスの送信機アンテナのヒト身体への近接を決定するための開示されるシステムを示す略図である。
【図７】図７は、種々の実施形態が実装され得る、または実施形態を実行するために利用され得るコンピューティング装置またはシステムのコンポーネントのブロック図である。
【発明を実施するための形態】
【００４８】
本明細書に開示される方法および装置は、上で説明されるように、ポータブルデバイス（例えば、伝送側デバイス）のヒト身体への近接に従って、送信機出力電力（ＰＴＸ）を調節し、比吸収率（ＳＡＲ）要件に対して伝送可能性を最大化するための有効なシステムを提供する。本開示のシステムは、無線ポータブルデバイスのリアルタイム画像感知および画像認識能力を近接感知とともに使用し、ポータブルデバイスの無線周波数（ＲＦ）送信機アンテナのヒト身体への物理的近接を正確に検出する方法を提供する。無線デバイスの通常動作中、ユーザへのＳＡＲばく露を規制限界を下回るように保つために、ＲＦ送信機出力電力レベルは、送信機アンテナがヒト身体に近接近する場合、その最大電力を下回るように限定される必要があり得る。近接感知を補完するための画像認識の使用は、ＲＦ送信機アンテナが、ヒト身体の近傍にあるか、または単に、ある他の任意の物体の近傍にあるかどうかを区別するための強力な方法を提供する。システムが、ＲＦ送信機アンテナがヒト身体に近接していることを決定する場合、ＲＦ送信機電力は、ＳＡＲばく露のための規制限界を満たすために、その最大電力レベルを下回るレベルに限定されることができる。
【００４９】
上で既に述べたように、一般大衆によって使用されるポータブルデバイスは、規制ＳＡＲコンプライアンス要件（例えば、連邦通信委員会（ＦＣＣ）第１５章−ＲＦばく露要件参照）を満たす必要がある。ポータブルデバイスから（特に、デバイスのＲＦ送信機アンテナから）のＲＦエネルギーへのユーザのばく露を規制閾値を下回るように限定する必要性は、あるユースケースにおいて、送信機電力を最大送信機電力（ＰＭＡＸ）を下回るレベル（ＰＳＡＲＭＡＸ）に限定する必要性を余儀なくさせ得る。ポータブルデバイスが他のユースケースシナリオにおけるよりヒト身体に近くあり得る間、デバイスからのユーザへのＲＦばく露は、デバイスの送信機がその最大送信機電力で動作することを可能にする場合、必須ＳＡＲばく露限界を超え得る。他方では、デバイスがヒト身体に近くない、またはデバイスがコンプライアンス限界より大きいＳＡＲばく露を生じさせないように動作させられている状況において、デバイスの送信機電力を不必要に削減することは、低減した無線リンク性能およびネットワーク範囲（例えば、セルラーネットワーク、無線ローカルエリアネットワーク（ＷＬＡＮ）ネットワーク内等）をもたらすであろう。
【００５０】
現在、いくつかの従来の方法は、ある他の主観的インジケータとともに近接センサを使用し、ＳＡＲばく露を低減させるために、ポータブルデバイス（例えば、伝送側デバイス）の送信機電力をその最大電力より下に限定すべきかどうかを決定する。しかしながら、これらの方法は、デバイスのＲＦ送信機アンテナのヒト身体への近接を正確に決定するために、近接感知を補完するためのリアルタイム画像感知および画像／パターン認識を使用しない。これらの方法は、デバイスがヒトではない物体に近接し得る状況においても送信機電力を限定する傾向にあるという点で、過度に保守的であり得る。これは、これらの方法がデバイスに近接した物体のタイプを正確に区別することができないからである。したがって、これらの方法は、回避可能な状況において、無線ネットワーク範囲を不必要に限定し、リンク性能を低下させ得る。
【００５１】
したがって、送信機がＰＳＡＲＭＡＸを上回って動作する場合、ＲＦアンテナのヒト身体への近接が規制限界を超えるＳＡＲばく露をもたらすユースケースにおいて、ＲＦ送信機電力をＰＭＡＸ未満（＜）のレベルＰＳＡＲＭＡＸに限定する必要がある。加えて、最大電力ＰＭＡＸで動作させる間、ＳＡＲばく露が規制限界を超えないユースケースにおいて、ＲＦ送信機電力を最大電力（ＰＭＡＸ）より下に限定しないようにする必要がある。
【００５２】
製品開発中、ＳＡＲは、通常、全てのユースケースに対して特性評価され、送信機がＳＡＲ限界を超えずに安全に動作し得る最大電力レベル（ＰＳＡＲＭＡＸ）が決定されることに留意されたい。そして、課題は、デバイスが、ＳＡＲばく露要件を満たすために送信機電力をＰＳＡＲＭＡＸ＜ＰＭＡＸに限定することを要求するユースケースにおいて動作させられているかどうかをリアルタイムで検出する一方、同時に、デバイスが、ＳＡＲばく露要件を満たすために送信機電力を限定することを要求しない方法で動作させられているとき、送信機電力をＰＭＡＸより下に限定しないことである。
【００５３】
本開示は、（ａ）１つ以上の画像センサと、（ｂ）１つ以上のＲＦ送信機アンテナおよび近接センサとを備えているシステムを提供する。システム内では、画像センサおよびポータブルデバイスＲＦ送信機アンテナは、画像センサがその視野内のポータブルデバイスＲＦ送信機アンテナを検出可能であるような様式において配置される（例えば、それは、画像センサとポータブルデバイスＲＦ送信機アンテナとを物理的に一緒に並べないことによって達成されることができる）。さらに、物体のポータブルデバイスへの近接を検出することが可能な１つ以上のＲＦ送信機アンテナおよび少なくとも１つの近接センサ（例えば、光学センサ、容量タッチセンサ、機械的ボタン等）が、物理的に互いに近接して搭載される。
【００５４】
以下の説明では、多数の詳細が、システムのより完全な説明を提供するために記載される。しかしながら、開示されるシステムは、これらの具体的詳細を伴わずに実践され得ることが当業者に明白であろう。他の事例では、周知の特徴は、システムを不必要に曖昧にしないように、詳細に説明されていない。
【００５５】
本開示の実施形態は、機能および／または論理コンポーネント、および種々の処理ステップの観点から本明細書に説明され得る。そのようなコンポーネントは、規定された機能を実施するように構成される任意の数からのハードウェア、ソフトウェア、および／またはファームウェアコンポーネントによって実現され得ることを理解されたい。例えば、本開示の実施形態は、種々の集積回路コンポーネント（例えば、メモリ要素、デジタル信号処理要素、論理要素、ルックアップテーブル等）を採用し得、それは、１つ以上のプロセッサ、マイクロプロセッサ、または他の制御デバイスの制御下、種々の機能を行い得る。加えて、当業者は、本開示の実施形態が、他のコンポーネントと併せて実践され得、本明細書に説明されるシステムは、単に、本開示の一例示的実施形態であることを理解されるであろう。
【００５６】
簡潔にするために、ポータブルデバイスに関連する従来の技法およびコンポーネントおよびシステムの他の機能側面（およびシステムの個々の動作コンポーネント）は、本明細書に詳細に説明されないこともある。さらに、本明細書に含まれる種々の図に示される接続線は、種々の要素間の例示的機能関係および／または物理的結合を表すように意図される。多くの代替または追加の機能関係もしくは物理的接続が、本開示のある実施形態では存在し得ることに留意されたい。
【００５７】
図１Ａは、本開示の少なくとも一実施形態による、比吸収率（ＳＡＲ）要件を満たすように送信機出力電力（ＰＴＸ）を限定するために、ポータブルデバイスの送信機アンテナのヒト身体への近接を決定するための開示されるシステムを示すブロック図１００Ａである。この図では、２つの別個のポータブルデバイスコンポーネントが、示され、それらは、ポータブルデバイスコンポーネントＡ（例えば、ユーザによって装着されるヘッドセットの形態におけるユーザデバイス）１０５と、ポータブルデバイスコンポーネントＢ（例えば、伝送側デバイス）１１０とである。ポータブルデバイスコンポーネントＡ  １０５およびポータブルデバイスコンポーネントＢ  １１０は、無線および／または有線を介して、互いに通信可能に結合１１５されることに留意されたい。
【００５８】
ポータブルデバイスコンポーネントＡ（例えば、ユーザデバイス）１０５は、頭部搭載型ディスプレイであり得る。加えて、ポータブルデバイスコンポーネントＡ  １０５は、画像感知システム１７０を含むように示される。画像感知システムは、１つ以上の画像センサ（例えば、画像を捕捉するためのカメラ）を備え得る。１つ以上の画像センサは、通常のカメラのみならず、前方視赤外線（ＦＬＩＲ）カメラおよび他の赤外線カメラ等のサーモグラフィ結像センサも含むことができる。画像センサ（例えば、カメラ）は、ポータブルデバイスコンポーネントＡ  １０５に動作可能に結合される。
【００５９】
ポータブルデバイスコンポーネントＢ（例えば、伝送側デバイス）１１０は、伝送アンテナ１２０を含むように示される。伝送アンテナ１２０は、無線周波数（ＲＦ）信号を伝送するＲＦアンテナであり得る。他の実施形態では、ポータブルデバイスコンポーネントＢ  １１０は、２つ以上の図１Ａに示されるような伝送アンテナ１２０を含み得る。加えて、種々の実施形態では、伝送アンテナ１２０は、ポータブルデバイスコンポーネントＢ  １１０の内部および／または外部にあり得る。
【００６０】
ポータブルデバイスコンポーネントＢ（例えば、伝送側デバイス）１１０は、例えば、伝送アンテナ１２０を活用し、１つ以上の無線ネットワークを経由して、種々のコンピューティングデバイスと通信し得る。例えば、ポータブルデバイスコンポーネントＢ（例えば、伝送側デバイス）１１０は、そのクライアントとして１つ以上のサーバと通信すること（直接または間接的に）、１つ以上のクラウドコンピューティングデバイスと通信すること（直接または間接的に）、１つ以上のウェブリソースにアクセスすること等を行うために、伝送アンテナ１２０および他の無線通信コンポーネント類を使用し得る。ポータブルデバイスコンポーネントＢ（例えば、伝送側デバイス）１１０は、ＢＬＵＥＴＯＯＴＨ（登録商標）、ＷＩ−ＦＩ（登録商標）またはあるＩＥＥＥ８０２．１１準拠プロトコル（例えば、ＩＥＥＥ８０２．１１ｎ、ＩＥＥＥ８０２．１１ａ／ｃ、ＷｉＧｉｇ  ＩＥＥＥ８０２．１１ａｄ、高効率無線（ＨＥＷ）８０２．１１ａｘ等）、ロングタームエボリューション（ＬＴＥ）またはＬＴＥアドバンスト等の種々の無線通信プロトコルのいずれかに従って、無線通信をそのようなコンピューティングデバイスと確立し得る。
【００６１】
ポータブルデバイスコンポーネントＢ（例えば、伝送側デバイス）１１０は、近接センサ１２５も含むように示される。他の実施形態では、ポータブルデバイスコンポーネントＢ  １１０は、２つ以上の図１Ａに示されるような随意の二次センサ１２６等の近接センサ１２５を含み得る。種々の異なるタイプのセンサが、近接センサ１２５および二次センサ１２６のために採用され得、限定ではないが、光学センサ（例えば、赤外線センサ、写真電気センサ等）、容量タッチセンサ、誘導センサ、超音波センサ、レーダセンサ、および／または機械的ボタンセンサを含むことに留意されたい。近接センサ１２５、およびいくつかの実施形態では、二次センサ１２６は、近接センサ１２５および二次センサ１２６が伝送アンテナ１２０と共同設置されるように、ポータブルデバイスコンポーネントＢ（例えば、伝送側デバイス）１１０上および／または内に方略的に位置する。
【００６２】
加えて、ポータブルデバイスコンポーネントＢ（例えば、伝送側デバイス）１１０は、プロセッサ１３０も含むように示される。いくつかの実施形態では、プロセッサ１３０は、ポータブルデバイスコンポーネントＡ（例えば、ユーザデバイス）１０５または別の代替デバイス等のポータブルデバイスコンポーネントＢ（例えば、伝送側デバイス）１１０以外のデバイスに位置することに留意されたい。プロセッサ１３０がポータブルデバイスコンポーネントＢ（例えば、伝送側デバイス）１１０以外のデバイスに位置する実施形態では、デバイス内に位置するプロセッサ１３０は、送信機出力電力（ＰＴＸ）の任意の必要とされる調節に関する信号をポータブルデバイスコンポーネントＢ（例えば、伝送側デバイス）１１０に送信するであろう。
【００６３】
図１Ａでは、プロセッサ１３０は、画像処理ユニット１３５と、センサ処理ユニット１４０とを含むように示され、それらは、近接および画像検出のために使用される。センサ処理ユニット１４０は、近接センサ１２５および二次センサ１２６に通信可能に結合され、したがって、センサデータを受信するように構成される。センサ処理ユニット１４０は、近接センサ１２５および二次センサ１２６から受信されたセンサデータを分析し、物体がポータブルデバイスコンポーネントＢ  １１０に近接しているかどうかを決定する。いくつかの例では、センサ処理ユニット１４０は、ポータブルデバイスコンポーネントＢ  １１０が１つ以上の物体から閾値距離未満に位置付けられていることを決定することに応答して、インタラプトを生成するように構成される。画像処理ユニット１３５は、画像感知システム１７０からの画像を分析し、ポータブルデバイスコンポーネントＢ  １１０から閾値距離未満に位置付けられている画像内の１つ以上の物体を認識または別様に識別する。いくつかの例では、画像処理ユニット１３５は、そのような動作をリアルタイムで実施し得る。画像処理ユニット１３５は、画像認識ソフトウェアを利用し、それは、ポータブルデバイスコンポーネントＢ  １１０の物理的筐体構造またはその一部に類似する物体を認識または別様に識別するようにプログラムおよび／または訓練される。画像内のポータブルデバイスコンポーネントＢ  １１０を見つけることによって、画像処理ユニット１３５は、近接センサ１２５に隣接する、および／またはそのごく近傍に位置付けられる１つ以上の物体に対して、画像の他の部分を分析することができる。より具体的には、画像処理ユニット１３５は、画像を分析し、ポータブルデバイスコンポーネントＢ  １１０に近接した１つ以上の物体がヒトではないと認識または別様に識別されるかどうかを決定する。したがって、画像処理ユニット１３５は、種々の日常の物体（例えば、不動産の建築的特徴、家庭内のアイテム、家具、電子デバイス、植物、生物、車両、目印等）ならびにヒト身体またはその解剖学的部分に類似する物体を認識するために、１つ以上の画像処理技法を活用し得る。１つ以上の赤外線カメラ（例えば、前方視赤外線（ＦＬＩＲ）カメラ）または他の熱結像センサが採用される実施形態に対して、画像処理ユニット１３５は、ヒト身体の熱特徴のみならず、生物および無生物物体の熱特徴も認識するために、１つ以上の画像処理技法を活用し得る。
【００６４】
いくつかの実施形態では、１つ以上の機械学習技法が、画像処理ユニット１３５が、向上した正確度を伴って、ポータブルデバイスコンポーネントＢ  １１０の少なくとも一部がヒトではない物体に近接して位置付けられているシナリオと、ポータブルデバイスコンポーネントＢ  １１０の少なくとも一部がヒト物体に近接して位置付けられているシナリオとを含む種々のシナリオと互いに関係がある画像パターンを認識することを可能になるように活用され得る。例えば、画像処理ユニット１３５は、ヒトではない物体およびヒト物体の両方に近接して位置付けられたポータブルデバイスコンポーネントＢ  １１０または類似デバイスを示すいくつかの以前の画像を使用して事前に訓練された１つ以上の確率論的統計モデル（例えば、ロジスティック回帰モデル、隠れマルコフモデル、決定ツリー、人工ニューラルネットワーク、ベイズネットワーク、それらの組み合わせ等）を維持し、または別様にそれへのアクセスを有し得る。事前に訓練されると、１つ以上の確率論的統計モデルは、画像処理ユニット１３５が、システムの使用および／または環境に基づいて、その画像認識能力を「微調整」または別様に細かく調整することを可能にするように、ランタイム時に取得されたデータに基づいてさらに更新され得る。
【００６５】
加えて、ポータブルデバイスコンポーネントＢ（例えば、伝送側デバイス）１１０は、ベースバンドプロセッサ１５０を含むように示される。ベースバンドプロセッサ１５０は、ＲＦ伝送コントローラ１５５と、ＳＡＲのための伝送電力低減ルックアップテーブル（ＬＵＴ）１６０とを含む。ＲＦ伝送コントローラ１５５およびＳＡＲのための伝送電力低減ＬＵＴ１６０は、送信機出力電力を調節するために使用される。より具体的には、ＳＡＲ  ＬＵＴ１６０は、以下に関連付けられたＳＡＲ閾値出力電力（ＰＳＡＲＭＡＸ）値に関して有益であり得る：異なるヒト／アンテナ距離（例えば、近接センサ１２５および／または二次センサ１２６によって測定され得るような）、デバイス向き（例えば、同様に近接センサ１２５および／または二次センサ１２６によって測定され得るような）、ユースケース（例えば、ポータブルデバイスコンポーネントＢ  １１０がユーザの身体の異なる部分に対して圧接されるシナリオ、ポータブルデバイスコンポーネントＢ  １１０がユーザから変位されたテーブルまたは他の表面上に静置しているシナリオ等）、およびその種々の順列。より具体的には、ＳＡＲ  ＬＵＴ１６０は、伝送アンテナ１２０が、ＲＦ信号を最大送信機電力（ＰＭＡＸ）（すなわち、ポータブルデバイスコンポーネントＢ  １１０が物理的に達成することが可能な最大ＲＦ伝送電力）で伝送することになる場合、ポータブルデバイスコンポーネントＢ（例えば、伝送側デバイス）１１０が、仮説上、ＳＡＲへの準拠から外れる可能性がある種々の異なるシナリオの各々に関連付けられたＳＡＲ閾値出力電力（ＰＳＡＲＭＡＸ）値を反映し得る。ＳＡＲ  ＬＵＴ１６０は、ポータブルデバイスコンポーネントＢ（例えば、伝送側デバイス）１１０および／またはポータブルデバイスコンポーネントＡ（例えば、ユーザデバイス）１０５の具体的特性に基づいて開発された製品試験および／または１つ以上のモデルの結果を反映させ得る。いくつかの例では、ＳＡＲ  ＬＵＴ１６０は、動作の過程全体を通してポータブルデバイスコンポーネントＢ  １１０によって取得された測定値および他のデータを組み込むために、動的に経時的に調節され得る。
【００６６】
ＳＡＲ  ＬＵＴ１６０内に反映されたＳＡＲ閾値出力電力（ＰＳＡＲＭＡＸ）値は、基準としての役割を果たし得、送信機出力電力（ＰＴＸ）（すなわち、任意の所与の時間におけるＲＦ伝送電力）および／または最大送信機電力（ＰＭＡＸ）（すなわち、ポータブルデバイスコンポーネントＢ  １１０が達成することが可能な最大ＲＦ伝送電力）は、ＰＳＡＲＭＡＸに対して評価され得、それは、伝送アンテナ１２０がＲＦ信号を伝送し得る電力の最大ＳＡＲ準拠レベルも反映し得る。したがって、センサデータ（例えば、近接センサ１２５および／または二次センサ１２６によって出力されたデータ）をＳＡＲ  ＬＵＴ１６０（または異なるシナリオ（例えば、伝送アンテナ１２０およびポータブルデバイスコンポーネントＢ  １１０の外部の１つ以上の物体を伴う）をＳＡＲ閾値出力電力（ＰＳＡＲＭＡＸ）値に効果的にマッピングするある他のモデル）に対して評価することによって、ポータブルデバイスコンポーネントＢ  １１０は、それが仮にＳＡＲ非準拠となり得るイベントの発生を検出可能であり得る。現在の送信機出力電力（ＰＴＸ）（すなわち、任意の所与の時間におけるＲＦ伝送電力）をそのような検出されたイベントに関連付けられたＳＡＲ閾値出力電力（ＰＳＡＲＭＡＸ）値に対して評価することによって、ポータブルデバイスコンポーネントＢ  １１０は、さらなるアクションが行われる必要があり得るかどうかをさらに決定し得る。ポータブルデバイスコンポーネントＢ（例えば、伝送側デバイス）１１０は、ＲＦ電力増幅器１６０も含むように示される。ベースバンドプロセッサ１５０は、信号をＲＦ電力増幅器１６０に送信し、伝送される信号の増幅の量を調節し、それによって、送信機出力電力を調節する。
【００６７】
開示されるシステムの動作中、ベースバンドプロセッサ１５０は、最初に、伝送アンテナ１２０が活性であるかどうか（すなわち、伝送アンテナ１２０が信号を伝送しているかどうか）を決定する。ベースバンドプロセッサ１５０が、伝送アンテナ１２０が活性ではないことを決定する場合、ベースバンドプロセッサ１５０は、送信機出力電力（ＰＴＸ）を調節しないであろう（すなわち、送信機出力電力は、限定されない）。
【００６８】
しかしながら、ベースバンドプロセッサ１５０が、伝送アンテナ１２０が活性であることを決定する場合、近接センサ１２５、およびいくつかの実施形態では、二次センサ１２６は、物体（図示せず）がポータブルデバイスコンポーネントＢ（例えば、伝送側デバイス）１１０に近接しているかどうかを感知する。具体的には、近接センサ１２５および二次センサ１２６は、物体（図示せず）が伝送アンテナ１２０に近接しているかどうかを感知する。近接は、数センチメートル、数ミリメートル、またはポータブルデバイスコンポーネントＢ（例えば、伝送側デバイス）１１０の物体への実際の接触に及ぶように定義され得る。いくつかの実施形態では、近接センサ１２５および／または二次センサ１２６は、伝送アンテナ１２０とそのような物体との間の距離を測定する役割を果たす。さらに、いくつかの例では、近接センサ１２５および／または二次センサ１２６は、ポータブルデバイスコンポーネントＢ  １１０の向きを監視する役割を果たし得る。そのような距離測定および向きデータは、例えば、ポータブルデバイスコンポーネントＢ  １１０の具体的ユースケースに関して有益であり得る。上で述べられたように、ＳＡＲ  ＬＵＴ１６０を参照することによって、距離、向き、および／またはユースケースデータは、所与の時点におけるポータブルデバイスコンポーネントＢ  １１０に適用可能であるＳＡＲ閾値出力電力（ＰＳＡＲＭＡＸ）値を示すことができる。
【００６９】
センサ処理ユニット１４０が、物体がポータブルデバイスコンポーネントＢ（例えば、伝送側デバイス）１１０に近接していないことを決定する場合、ベースバンドプロセッサ１５０は、ＰＴＸを調節しないであろう（すなわち、送信機出力電力は、限定されない）。
【００７０】
しかしながら、センサ処理ユニット１４０が、物体がポータブルデバイスコンポーネントＢ（例えば、伝送側デバイス）１１０に近接していることを決定する場合、ベースバンドプロセッサ１５０は、ＰＴＸがＳＡＲ閾値出力電力（ＰＳＡＲＭＡＸ）より大きいかどうかを決定する。上で述べられたように、ＰＴＸが比較されるＳＡＲ閾値出力電力（ＰＳＡＲＭＡＸ）値は、事実上、デバイス／ヒト距離、デバイス向き、および／またはユースケースの関数であり得る。したがって、ＰＴＸが比較されるＳＡＲ閾値出力電力（ＰＳＡＲＭＡＸ）値は、センサ処理ユニット１４０が物体がポータブルデバイスコンポーネントＢ（例えば、伝送側デバイス）１１０に近接していることを決定した場合、ＳＡＲ  ＬＵＴ１６０から選択されるか、または別様にＳＡＲ  ＬＵＴ１６０に示されるデータを使用して決定され得る。近接センサ１２５および／または二次センサ１２６から取得されるデータは、ＳＡＲ  ＬＵＴ１６０内のＳＡＲ閾値出力電力（ＰＳＡＲＭＡＸ）値の識別において、または現在適用可能なＳＡＲ閾値出力電力（ＰＳＡＲＭＡＸ）値を決定するための他のプロセスにおいて活用され得るということになる。
【００７１】
ベースバンドプロセッサ１５０が、ＰＴＸがＰＳＡＲＭＡＸより大きくないことを決定する場合、プロセッサ１３０は、ヒト身体近接フラグが設定されているかどうかを決定する。プロセッサ１３０が、ヒト身体近接フラグが設定されなかったことを決定する場合、ベースバンドプロセッサ１５０は、ＰＴＸを調節しないであろう（すなわち、送信機出力電力は、限定されない）。
【００７２】
しかしながら、ベースバンドプロセッサ１５０が、ＰＴＸがＰＳＡＲＭＡＸより大きいことを決定する場合、システムの動作の実施は、所定の時間量（例えば、所定の秒数）だけ遅らせられる。そして、プロセッサ１３０は、画像を画像感知システム（例えば、カメラ）１７０から取得する。画像を取得後、プロセッサ１３０は、ヒト近接フラグをクリアする。そして、画像処理ユニット１３５は、画像を分析し、ポータブルデバイスコンポーネントＢ（例えば、伝送側デバイス）１１０が画像感知システム１７０の視野（ＦＯＶ）内にあるかどうかを決定する。画像処理ユニット１３５が、ポータブルデバイスコンポーネントＢ（例えば、伝送側デバイス）１１０が画像感知システム１７０のＦＯＶ内にないことを決定する場合、ベースバンドプロセッサ１５０は、ＰＴＸをＰＳＡＲＭＡＸ以下であるように調節する。
【００７３】
しかしながら、画像処理ユニット１３５が、ポータブルデバイスコンポーネントＢ（例えば、伝送側デバイス）１１０が画像感知システム１７０のＦＯＶ内にあることを決定する場合、画像処理ユニット１３５は、画像を分析し、ポータブルデバイスコンポーネントＢ（例えば、伝送側デバイス）１１０がヒト身体に近接していないことが確認されることができるかどうか決定する（例えば、近接センサ１２５が伝送アンテナ１２０に近接したヒト以外のものを検出した結果として）。例えば、画像処理ユニット１３５は、画像内のヒトではない物体が近接センサ１２５によって最も容易に検出可能な位置においてポータブルデバイスコンポーネントＢ  １１０に近接しているとして識別すること（例えば、１つ以上の画像認識技法の適用を通して）、少なくとも部分的に画像に示されるヒト身体が近接センサ１２５によって容易に検出可能ではない場所に位置付けられているとして識別すること、および／または、少なくとも部分的に画像に示されるヒト身体がポータブルデバイスコンポーネントＢ  １１０から適正な距離に位置付けられているとして識別することによって、ポータブルデバイスコンポーネントＢ（例えば、伝送側デバイス）１１０がヒト身体に近接して位置していないことを効果的に確認し得る。画像処理ユニット１３５が、ポータブルデバイスコンポーネントＢ（例えば、伝送側デバイス）１１０が実際にヒト身体に近接していないことを決定する場合、ベースバンドプロセッサ１５０は、ＰＴＸを調節しないであろう（すなわち、送信機出力電力は、限定されない）。
【００７４】
しかしながら、画像処理ユニット１３５が、ポータブルデバイスコンポーネントＢ（例えば、伝送側デバイス）１１０がヒト身体に近接していないことを確認することができない場合、および／または、画像処理ユニット１３５が、ポータブルデバイスコンポーネントＢがヒト身体に近接していることを決定する場合、ベースバンドプロセッサ１５０は、ＰＴＸをＰＳＡＲＭＡＸ以下であるように調節する。画像処理ユニット１３５が、ポータブルデバイスコンポーネントＢ（例えば、伝送側デバイス）１１０がヒト身体に近接していないことを確認することができない場合にＰＴＸを低減させることは、近接したヒト身体をＲＦエネルギーにさらす可能性を最小化する。次いで、開示されるシステムの動作は、単に、繰り返される。
【００７５】
いくつかの実施形態では、開示されるシステムは、拡張現実システムの少なくとも一部として機能し得る。図１Ｂは、仮想コンテンツ（例えば、仮想物体、仮想ツール、および他の仮想構築物、例えばアプリケーション、特徴、キャラクタ、テキスト、数字、および他のシンボル）をユーザの視野内にレンダリングするように動作可能である拡張現実システム１００Ｂを示す。拡張現実システム１００Ｂは、ポータブルデバイスコンポーネント１０５および１１０も含み、それらは、この例では、それぞれ、ユーザデバイスおよび伝送側デバイスの形態をとる。より具体的には、拡張現実システム１００Ｂのユーザデバイス１０５（すなわち、ヘッドセット）は、仮想コンテンツをユーザの眼に送達する光学コンポーネント（例えば、ユーザの眼の正面に位置付けられる表示システムに結合されるフレーム構造）を含み得、拡張現実システム１００Ｂの伝送側デバイス１１０は、多数の処理タスクを実施し、関連仮想コンテンツをユーザに提示する他の不可欠なコンポーネント（例えば、処理コンポーネント、電力コンポーネント、メモリ等）を含み得る。
【００７６】
ユーザデバイス１０５は、仮想現実コンテンツをユーザに表示するためのディスプレイ等のユーザインターフェースコンポーネントも含み得る。ユーザインターフェースコンポーネントは、ＬＥＤインジケータ、オーディオソース、振動デバイス等の触知フィードバックデバイス等を含み得る。図１Ａを参照して上で述べられたように、ユーザデバイス１０５は、１つ以上の画像センサを備えている画像感知システム１７０も含み得る。そのような画像センサは、通常のカメラのみならず、前方視赤外線（ＦＬＩＲ）カメラおよび他の赤外線カメラ等のサーモグラフィ結像センサも含むことができる。いくつかの実施形態では、ユーザデバイス１０５は、１つ以上のマイクロホン、慣性測定ユニット、加速度計、コンパス、ＧＰＳユニット、無線デバイス、および／またはジャイロスコープをさらに含み得る。
【００７７】
伝送側デバイス１１０は、物理的筐体構造内に含まれる１つ以上のアンテナに隣接して、伝送側デバイス１１０の物理的筐体構造の表面に位置付けられる少なくとも１つの近接センサ１２５を含む。図１Ａを参照して上で述べられたように、少なくとも１つの近接センサ１２５は、少なくとも１つの近接センサ１２５から外部物体までの近似距離を決定するように構成され得る。いくつかの例では、少なくとも１つの近接センサ１２５は、少なくとも１つの近接センサ１２５によって行われる測定が１つ以上のアンテナから１つ以上の外部物体までの距離に関して有益であり得るように、伝送側デバイス１１０の１つ以上のアンテナに対して既知のジオメトリーで配置され得る。
【００７８】
ユーザデバイス１０５および伝送側デバイス１１０は、接続１１５（例えば、有線導線接続、無線接続等）を経由して、動作可能および／または通信可能に結合され得る。例えば、伝送側デバイス１１０は、適切なコネクタを有するケーブル内の１つ以上のワイヤまたは光ファイバを介して、ユーザデバイス１０５に動作可能または少なくとも通信可能にテザリングされ得、ＵＳＢ（登録商標）、ＵＳＢ２（登録商標）、ＵＳＢ３（登録商標）、Ｅｔｈｅｒｎｅｔ（登録商標）、Ｔｈｕｎｄｅｒｂｏｌｔ（登録商標）、およびＬｉｇｈｔｎｉｎｇ（登録商標）プロトコル等の種々のテザリングプロトコルのいずれかに従って通信し得る。代替として、または加えて、伝送側デバイス１１０は、ユーザデバイス１０５に無線で通信可能に結合され得る。例えば、伝送側デバイス１１０およびユーザデバイス１０５の各々は、送信機、受信機、または送受信機（集合的に、無線）と、関連付けられたアンテナとを含み、ポータブルデバイスコンポーネントＢ  １１０によって伝送アンテナ１２０を使用して行われる通信を参照して上で説明される種々の無線通信プロトコルのいずれかに従って、無線通信をそれらの間に確立し得る。いくつかの実施形態では、ポータブルデバイスコンポーネントＢ  １１０は、コンポーネント１２０、１５０、１５５、１６０、および１６５のうちの１つ以上のものを活用して、ポータブルデバイスコンポーネントＡ  １０５と通信し得る。
【００７９】
このように動作可能および／または通信可能に結合されることを除き、ユーザデバイス１０５および伝送側デバイス１１０は、拡張現実システム１００Ｂの物理的に分かれた、および／または場所を移されたコンポーネントであると考えられ得る。したがって、ユーザデバイス１０５および伝送側デバイス１１０は、異なる場所に位置付けられ得る。例えば、ユーザデバイス１０５は、ユーザの頭部上に装着され得る一方、伝送側デバイス１１０は、ベルト結合式構成においてユーザの腰部に除去可能に取り付けられ得る。他の例では、伝送側デバイス１１０は、ユーザの身体の別の部分に除去可能に取り付けられるユーザによって装着される衣類または他の付属品に除去可能に取り付けられるか、その中に位置するか、またはユーザの環境内の別の場所に位置付けられ得る。
【００８０】
図２は、本開示の少なくとも一実施形態による、ＳＡＲ要件を満たすように送信機出力電力（ＰＴＸ）を限定するために、ポータブルデバイスの送信機アンテナのヒト身体への近接を決定するための開示される方法２００のためのフローチャートを示す略図である。下記に説明される方法２００の動作のうちの１つ以上のものは、例えば、図１Ａおよび１Ｂを参照して上で説明されるようなポータブルデバイスコンポーネントＢ  １１０のプロセッサ１３０および／またはベースバンドプロセッサ１５０によって実施され得る。いくつかの例では、下記に説明される方法２００の動作のうちの１つ以上のものは、図１Ａおよび１ＢのポータブルデバイスコンポーネントＢ  １１０に通信可能に結合された１つ以上の他のコンピューティングデバイスによって実施され得る。
【００８１】
方法２００の開始（２０５）時、伝送側デバイスのＲＦ伝送アンテナが活性（すなわち、伝送中である）かどうか決定される（２１０）。ＲＦ伝送アンテナが活性ではないと決定される場合（２１５）、ＰＴＸは、調節されない（すなわち、送信機出力電力は、限定されない）（２９０）。次いで、方法は、開始（２０５）に戻る。
【００８２】
しかしながら、ＲＦ伝送アンテナが活性であると決定される場合、伝送側デバイスに通信可能に結合された近接センサ、およびいくつかの実施形態では、二次センサは、物体が伝送側デバイスに近接しているかどうかを感知する（２２０）。近接センサ、およびいくつかの実施形態では、二次センサが、物体が伝送側デバイスに近接していないことを決定する場合、ＰＴＸは、調節されない（すなわち、送信機出力電力は、限定されない）（２２５）。次いで、方法は、開始（２０５）に戻る。
【００８３】
しかしながら、近接センサが、物体が伝送側デバイスに近接していることを決定する場合、ＰＴＸがＳＡＲ閾値出力電力（ＰＳＡＲＭＡＸ）より大きいかどうか決定される（２３０）。ＳＡＲ閾値出力電力（ＰＳＡＲＭＡＸ）は、図１Ａを参照して上で説明されるように、ＳＡＲ  ＬＵＴ１６０等のルックアップテーブルにアクセスすることによって、この時点で決定され得る。ＰＴＸがＰＳＡＲＭＡＸより大きくないことが決定される場合、ヒト身体近接フラグが設定されたかどうかが決定される（２３５）。ヒト身体近接フラグが設定されていないことが決定される場合（２４０）、ＰＴＸは、調節されない（すなわち、送信機出力電力は、限定されない）（２９０）。次いで、方法は、開始（２０５）に戻る。
【００８４】
しかしながら、ヒト身体近接フラグが設定された（すなわち、方法２００の前の反復において、ＰＴＸがＰＳＡＲＭＡＸより大きいと決定された）ことが決定される場合、方法２００の実施は、所定の時間量遅らせられる（２４５）。時間の遅延の目的は、ヒト身体近接フラグが設定されている（すなわち、ヒト身体が検出されており、送信機出力電力がＰＳＡＲＭＡＸに限定されている）場合、デバイスの処理システムが画像認識のための頻繁な要求を負担させられないことを確実にするためである。ヒト身体近接フラグが設定された後、「物体」への近接が検出される任意の後続ポーリング中、画像感知システムへの要求は、処理電力を節約するために遅らせられる。送信機出力電力が、ＰＳＡＲＭＡＸ以下であるように限定されているので、このシナリオでは、ＳＡＲばく露限界を超えるリスクは、存在しない。代わりに、ＰＳＡＲＭＡＸ以下であるための送信機出力電力における限界の除去は、近接した物体がヒト身体ではない場合、遅らせられる。
【００８５】
追加されるべき時間の遅延量は、限定ではないが、信号条件（信号品質の変動）、静的または動的ユーザ（ＲＦ送信機が運動中か、静止しているか）、バッテリ寿命（低下しつつあるとき、バッテリを保存する必要があるかどうか）、およびプロセッサタスク優先順位（他の高優先順位タスクが起動中であるかどうか）を含むいくつかの要因に基づいて決定されることができる。時間の遅延は、高度に動的信号条件環境におけるミリ秒範囲から、他のシナリオにおける数秒または数十秒まで変動し得る。遅延期間は、事前に決定され得るか、または潜在的ＳＡＲコンプライアンス問題が検出されたかどうかおよび／または問題の深刻度に応じて、リアルタイムで適応的に決定され得る。当業者は、リストアップされた遅延の多くの変形例を理解するであろう。
【００８６】
方法２００の実施が、所定の時間量遅らせられた後、画像が、画像感知システム（例えば、カメラ）から取得される（２５０）。画像を取得後、ヒト近接フラグは、クリアされる（２５５）。次いで、画像は、分析され、伝送側デバイスが画像感知システムの視野（ＦＯＶ）内にあるかどうかを決定する（２６０）。伝送側デバイスが、画像感知システムのＦＯＶ内にないことが決定される（例えば、伝送側デバイスが画像に示されていないと認識される）場合、アンテナのＰＴＸは、ＰＳＡＲＭＡＸ以下であるように調節される（２６５、２８５）。そうすることによって、方法２００は、ヒトへのＳＡＲばく露に関する保護に慎重過ぎるぐらい慎重になる。次いで、方法は、開始（２０５）に戻る。
【００８７】
しかしながら、伝送側デバイスが、画像感知システムのＦＯＶ内で検出される（例えば、伝送側デバイスが、１つ以上の画像認識技法を用いて、画像に示されると識別される）場合、画像が、分析され、伝送側デバイスがヒト身体に近接していないことが確認されることができるかどうかを決定する（２７０）。伝送側デバイスがヒト身体に近接していないことが確認される場合（２７５）、ＰＴＸは、調節されない（すなわち、送信機出力電力は、限定されない）（２９０）。そして、方法は、開始（２０５）に戻る。調節されていないＰＴＸを用いて動作する前に伝送側デバイスがヒト身体に近接していないことの確認を要求することは、ＲＦエネルギーへのヒト身体のばく露を回避することによって、安全性を最大化する。
【００８８】
しかしながら、伝送側デバイスがヒト身体に近接していないことが確認されることができない場合、ヒト身体近接フラグが、設定される（２８０）。ヒト身体近接フラグが設定された後、アンテナのＰＴＸは、ＰＳＡＲＭＡＸ以下であるように調節される（２８５）。次いで、方法は、開始（２０５）に戻る。
【００８９】
別の実施形態では、システムは、ユーザが自身を伝送側デバイス１１０（例えば、図１Ｂ参照）に対して再位置付けすることを要求するためのユーザフィードバック（例えば、図１Ｂに示されるように、ヘッドセット１０５を通して）を提供し、システムがより高いＰＴＸで動作することを可能にすることができる。ユーザフィードバックは、ユーザが自身を再位置付けすることを提案する視覚的またはオーディオ通知、プロンプト等の形態であり得る（例えば、「信号品質を改良するために、伝送側デバイスから離れてください」）。別の例では、触知／触覚的フィードバックが、周辺デバイス（例えば、図５および６に示されるようなトーテム３３０）を経由して提供され得る。さらに別の例では、伝送側デバイス１１０内に格納される１つ以上のユーザインターフェースコンポーネント（例えば、スピーカ、ＬＥＤ等）が、活性化され得る。そのような実施形態は、特に、システムが、特に弱いＷＩ−ＦＩ（登録商標）またはセルラー接続を用いて動作しているが、伝送側デバイス１１０が、ユーザの身体にあまりに近接して位置付けられ、システムが適正な通信を維持するために必要な伝送電力で動作することができない状況において有用であり得る。
【００９０】
図２に図示される具体的ステップは、ＳＡＲ要件を満たすたように送信機出力電力（ＰＴＸ）を限定するために、ポータブルデバイスの送信機アンテナのヒト身体への近接を決定する特定の方法を提供することを理解されたい。ステップの他のシーケンスも、代替実施形態に従って実施され得る。例えば、代替実施形態は、上で概略されたステップを異なる順序で実施し得る。さらに、図２に図示される個々のステップは、個々のステップに対する必要に応じて、種々のシーケンスで実施され得る複数のサブステップを含み得る。さらに、追加のステップが、特定の用途に応じて、追加または除去され得る。そのようなステップの例は、図１Ａおよび１Ｂを参照して上で説明される１つ以上のシステムコンポーネントによって実行可能であるように上で説明される１つ以上の動作および／またはサブ動作を含み得る。当業者は、多くの変形例、修正、および代替を認識するであろう。
【００９１】
例えば、いくつかの実装では、方法２００は、以下のプロセスを表すと考えられ得る：（ｉ）出力データを伝送側デバイスの少なくとも１つのセンサから取得すること（例えば、２２０における方法２００の動作参照）、（ｉｉ）伝送側デバイスの少なくとも１つのアンテナの現在の動作パラメータの下で、（ｉｉｉ）１つ以上の物体が１つ以上の閾値を超えるＲＦエネルギーのレベルにさらされているような様式において、センサデータが、伝送側デバイスが伝送側デバイスの環境内に位置している１つ以上の物体に対して位置付けられていることを示すかどうかを決定すること（例えば、２２０、２２５、および／または２３０における方法２００の動作参照）、（ｉｖ）センサデータが、１つ以上の物体が１つ以上の閾値を超えるＲＦエネルギーのレベルにさらされていることを示すことを決定することに応答して、１つ以上の画像を少なくとも１つのカメラから取得すること（２５０における方法２００の動作参照）、（ｖ）１つ以上の画像を処理し、１つ以上の画像が、１つ以上の物体のうちのどれもが生物学的にヒトではないことを確認する働きをしているかどうかを決定すること（例えば、２６０、２６５、２７０、および／または２７５における方法２００の動作参照）、（ｖｉ）処理に基づいて、少なくとも１つのアンテナがＲＦ信号を伝送する最大レベルの電力を決定すること（例えば、２８５または２９０における方法２００の動作参照）、および、（ｖｉｉ）少なくとも１つのアンテナを制御し、決定された電力の最大レベル以下の電力のレベルでＲＦ信号を伝送すること（例えば、２８５または２９０における方法２００の動作参照）。いくつかの実施形態では、そのような動作は、コンピューティングシステム内で実行され得る。コンピューティングシステムは、物理的筐体構造と、その少なくとも一部が、物理的筐体構造内に含まれるか、またはそれに取り付けられた複数の電子ハードウェアコンポーネントとを含み得る。例えば、複数のハードウェアコンポーネントは、少なくとも１つのＲＦアンテナと、物理的筐体構造の環境に対して少なくとも１つのアンテナの１つ以上の条件を監視するように構成された少なくとも１つのセンサと、少なくとも１つのカメラと、少なくとも１つのプロセッサとを含み得る。少なくとも１つのプロセッサは、例えば、少なくとも１つのアンテナ、少なくとも１つのセンサ、および少なくとも１つのカメラに通信可能に結合され得る。したがって、いくつかの例では、少なくとも１つのプロセッサは、上で説明される動作（ｉ）−（ｖｉｉ）の一部または全部を実行し得る。
【００９２】
図３は、本開示の少なくとも一実施形態による、ポータブルデバイス（例えば、伝送側デバイス）１１０がヒト身体上に位置しない場合における、ＳＡＲ要件を満たすように送信機出力電力（ＰＴＸ）を限定するために、ポータブルデバイスの送信機アンテナのヒト身体への近接を決定するための開示されるシステムを示す略図３００である。この図では、ユーザ３１０は、頭部搭載型ディスプレイデバイスの形態におけるポータブルデバイスコンポーネントＡ（例えば、ユーザデバイス）１０５を装着しているように示され、ポータブルデバイスコンポーネントＢ（例えば、伝送側デバイス）１１０は、テーブル３２０上にあるように示される。
【００９３】
この図の例では、ポータブルデバイスコンポーネントＢ（例えば、伝送側デバイス）１１０は、ポータブルデバイスコンポーネントＢ（例えば、伝送側デバイス）１１０がポータブルデバイスコンポーネントＡ（例えば、ユーザデバイス）１０５の視野（ＦＯＶ）内にあることを決定する。次いで、ポータブルデバイスコンポーネントＢ（例えば、伝送側デバイス）１１０は、ポータブルデバイスコンポーネントＢ（例えば、伝送側デバイス）１１０がヒト身体に近接していない（すなわち、ポータブルデバイスコンポーネントＢ（例えば、伝送側デバイス）１１０が、代わりに、テーブル３２０に近接している）ことを決定する。したがって、ポータブルデバイスコンポーネントＢ（例えば、伝送側デバイス）１１０は、ＰＴＸを調節しないであろう（すなわち、送信機出力電力は、限定されないであろう）。
【００９４】
図４は、本開示の少なくとも一実施形態による、ポータブルデバイス（例えば、伝送側デバイス１１０）がヒト身体上に位置する場合における、ＳＡＲ要件を満たすように送信機出力電力（ＰＴＸ）を限定するために、ポータブルデバイスの送信機アンテナのヒト身体への近接を決定するための開示されるシステムを示す略図４００である。この図では、ユーザ３１０は、頭部搭載型ディスプレイデバイスの形態におけるポータブルデバイスコンポーネントＡ（例えば、ユーザデバイス）１０５を装着しているように示され、ポータブルデバイスコンポーネントＢ（例えば、伝送側デバイス）１１０は、ユーザ３１０の膝の上にあるように示される。
【００９５】
この図の例では、ポータブルデバイスコンポーネントＢ（例えば、伝送側デバイス）１１０は、ポータブルデバイスコンポーネントＢ（例えば、伝送側デバイス）１１０がポータブルデバイスコンポーネントＡ（例えば、ユーザデバイス）１０５の視野（ＦＯＶ）内にあることを決定する。次いで、ポータブルデバイスコンポーネントＢ（例えば、伝送側デバイス）１１０は、ポータブルデバイスコンポーネントＢ（例えば、伝送側デバイス）１１０がヒト身体に近接している（すなわち、ポータブルデバイスコンポーネントＢ（例えば、伝送側デバイス）１１０がユーザ３１０に近接している）ことを決定する。したがって、ポータブルデバイスコンポーネントＢ（例えば、伝送側デバイス）１１０は、ＰＴＸをＰＳＡＲＭＡＸ以下であるように調節するであろう。
【００９６】
図５は、本開示の少なくとも一実施形態による、ポータブルデバイス（例えば、伝送側デバイス）１１０がヒト身体上に位置しない場合における、ＳＡＲ要件を満たすように送信機出力電力（ＰＴＸ）を限定するために、ポータブルデバイスの送信機アンテナのヒト身体への近接を決定するための開示されるシステムを描写する。この図では、ユーザ３１０は、頭部搭載型ディスプレイデバイス（例えば、ヘッドセット）の形態における、ポータブルデバイスコンポーネントＡ（例えば、ユーザデバイス）１０５を装着しているように示され、ポータブルデバイスコンポーネントＢ（例えば、伝送側デバイス）１１０は、テーブル３２０上にあるように示される。
【００９７】
この図の例では、ポータブルデバイスコンポーネントＢ（例えば、伝送側デバイス）１１０は、ポータブルデバイスコンポーネントＢ（例えば、伝送側デバイス）１１０がポータブルデバイスコンポーネントＡ（例えば、ユーザデバイス）１０５の視野（ＦＯＶ）内にあることを決定する。そして、ポータブルデバイスコンポーネントＢ（例えば、伝送側デバイス）１１０は、ポータブルデバイスコンポーネントＢ（例えば、伝送側デバイス）１１０がヒト身体に近接していないことを決定する。ポータブルデバイスコンポーネントＢ（例えば、伝送側デバイス）１１０は、ポータブルデバイスコンポーネントＢ（例えば、伝送側デバイス）１１０が、代わりに、ソーダ缶（すなわち、ヒト身体ではない）に近接していることを決定する。ポータブルデバイスコンポーネントＢ（例えば、伝送側デバイス）１１０がヒト身体に近接していないことが確認されると、ポータブルデバイスコンポーネントＢ（例えば、伝送側デバイス）１１０は、ＰＴＸを調節しないであろう（すなわち、送信機出力電力は、限定されないであろう）（例えば、図２における２７０および２７５参照）。いくつかの実施形態では、ポータブルデバイスコンポーネントＢ（例えば、伝送側デバイス）１１０に近接した物体を認識するための画像を入手するために使用される結像センサは、システム内のトーテムコントローラ３３０の一部であり得る。
【００９８】
図６は、本開示の少なくとも一実施形態による、ポータブルデバイス（例えば、伝送側デバイス）１１０がヒト身体に隣接して位置する場合における、ＳＡＲ要件を満たすように送信機出力電力（ＰＴＸ）を限定するために、ポータブルデバイスの送信機アンテナのヒト身体への近接を決定するための開示されるシステムを描写する。この図では、ユーザ３１０は、頭部搭載型ディスプレイデバイス（例えば、ヘッドセット）の形態におけるポータブルデバイスコンポーネントＡ（例えば、ユーザデバイス）１０５を装着しているように示され、ポータブルデバイスコンポーネントＢ（例えば、伝送側デバイス）１１０は、テーブル３２０上にあるように示される。
【００９９】
この図の例では、ポータブルデバイスコンポーネントＢ（例えば、伝送側デバイス）１１０は、ポータブルデバイスコンポーネントＢ（例えば、伝送側デバイス）１１０が物体に近接していることを決定する。しかしながら、ポータブルデバイスコンポーネントＢ（例えば、伝送側デバイス）１１０は、ポータブルデバイスコンポーネントＢ（例えば、伝送側デバイス）１１０をユーザデバイス１０５の結像センサによって捕捉された１つ以上の画像内で識別できない。その結果、ＰＴＸは、ＰＳＡＲＭＡＸ未満に調節される（例えば、図２における２７０、２８０、および２８５参照）。この特定の実施形態では、ポータブルデバイスコンポーネントＢ（例えば、伝送側デバイス）１１０は、ユーザ３１０に隣接し、ＰＴＸを低減させ、ユーザをＲＦエネルギーへのばく露から保護する。
【０１００】
主に、拡張現実、複合現実、および仮想現実システムのコンテキストにおいて説明されるが、本明細書に説明されるシステムおよび技法は、他の設定において活用される他のタイプのデバイスを伴うシステム、他のタイプの動作を実行するシステム、またはそれらの組み合わせにおけるシステムに適用され得ることを理解されたい。例えば、本明細書に説明される技法は、スマートフォン、スマート車両、タブレット、ラップトップ、スマートウォッチ、スマート衣類／織物および他のウェアラブルデバイス、ドングル、デスクトップコンピュータ、家電等を伴うシステムおよびシナリオに適用され得る。いくつかの実施形態では、本明細書に説明されるシステムおよび技法のうちの１つ以上のものは、特定のコンピューティングシステムに適用され、特定のコンピューティングシステムの外部の１つ以上のデバイスにおいて生じる潜在的ＳＡＲコンプライアンス問題を検出し、識別し、および／またはそれに対処し得る。例えば、本明細書に説明されるシステムおよび技法のうちの１つ以上のものは、モバイルコンピューティングデバイスが、無線通信能力を装備する近傍のスマート家電内で生じ得る潜在的ＳＡＲコンプライアンス問題の検出、識別、および／または修正を促進することを可能にするために、モバイルコンピューティングデバイスに適用され得る。
【０１０１】
図７は、種々の実施形態が実装され得る、または実施形態を実行するために利用され得るコンピューティング装置またはシステムのコンポーネントのブロック図７００である。図７は、概して、実施形態を実行するために利用され得、メモリ７１０、プログラム（例えば、画像処理プログラム、近接センサ処理プログラム、および／または送信機出力電力調節プログラム）７１２、プログラム７１２を実行するためのプロセッサまたはコントローラ（例えば、図１ＡのポータブルデバイスコンポーネントＡ  １０５、プロセッサ１３０、および／またはベースバンドプロセッサ１５０の処理コンポーネント類）７２０、データを記憶するためのデータベース７５０（例えば、画像、近接センサデータ、および／または図１ＡのＳＡＲ  ＬＵＴに関する伝送電力低減１６０）、ネットワークインターフェース７３０（例えば、図１Ａのベースバンドプロセッサ１５０、ＲＦ伝送コントローラ１５５、ＲＦ電力増幅器１６５、伝送アンテナ１２０、および／またはそのようなコンポーネント間のネットワークまたは相互接続７４０と通信するための他のハードウェア）を含むコンピューティングデバイス７００（例えば、図１Ａまたは１ＢのポータブルデバイスコンポーネントＡ（例えば、ユーザデバイス）１０５および／またはポータブルデバイスコンポーネントＢ（例えば、伝送側デバイス）１１０）のコンポーネントを図示する。メモリ７１０は、キャッシュ、ＲＡＭ、ＲＯＭ、ＳＲＡＭ、ＤＲＡＭ、ＲＤＲＡＭ、ＥＥＰＲＯＭ、およびデータを記憶することが可能な他のタイプの揮発性または不揮発性メモリのうちの１つ以上のものであるか、またはそれを含み得る。プロセッサユニット７２０は、複数のプロセッサ、単一スレッドプロセッサ、マルチスレッドプロセッサ、マルチコアプロセッサ、またはデータを処理することが可能な他のタイプのプロセッサであるか、またはそれを含み得る。特定のシステムコンポーネント（例えば、コンポーネントがコンピュータまたはハンドヘルドモバイル通信デバイスであるかどうか）に応じて、相互接続７４０は、システムバス、ＬＤＴ、ＰＣＩ、ＩＳＡ、または他のタイプのバスを含み得、通信またはネットワークインターフェースは、例えば、Ｅｔｈｅｒｎｅｔ（登録商標）インターフェース、フレーム中継インターフェース、または他のインターフェースであり得る。ネットワークインターフェース７３０は、システムコンポーネントが、図１Ａおよび１Ｂを参照して上で説明されるもののうちの１つ以上のもの等の無線または種々の他のネットワークであり得るネットワークを横断して、他のシステムコンポーネントと通信することを可能にするように構成され得る。コンピューティングデバイス７００の１つ以上のコンポーネントは、遠隔に位置し、ネットワークを介してアクセスされ得ることに留意されたい。故に、図７に提供されるシステム構成は、概して、実施形態が構成および実装され得る方法を図示するために提供される。
【０１０２】
方法実施形態は、コンピュータ読み取り可能な媒体またはキャリア、例えば、コンピュータに接続される固定および／または取り外し可能なデータ記憶データデバイスおよび／またはデータ通信デバイスのうちの１つ以上のものにおいても具現化されるか、またはそれから読み取り可能であり得る。キャリアは、例えば、磁気記憶媒体、光学記憶媒体、および磁気光学記憶媒体であり得る。キャリアの例として、限定ではないが、フロッピー（登録商標）ディスケット、メモリスティック、またはフラッシュドライブ、ＣＤ−Ｒ、ＣＤ−ＲＷ、ＣＤ−ＲＯＭ、ＤＶＤ−Ｒ、ＤＶＤ−ＲＷ、またはデータを記憶することが可能な現在既知または後に開発される他のキャリアが挙げられる。プロセッサ７２０は、メモリ７１０内にあり、および／またはキャリア上に具現化されるプログラム命令７１２を実行し、方法実施形態を実装する。さらに、実施形態は、携帯電話またはスマートフォン等のモバイル通信デバイス上に常駐し、および／またはその上で実行され得る。
【０１０３】
特定の実施形態が、図示および説明されたが、上記の議論は、これらの実施形態の範囲を限定することを意図するものではないことを理解されたい。実施形態および多くの側面の変形例が、本明細書に開示および説明されたが、そのような開示は、説明の目的および例証のみのために提供される。したがって、種々の変更および修正が、請求項の範囲から逸脱することなく行われ得る。
【０１０４】
さらなる例として、実施形態は、各々が独立型アプリケーションであり得る１つ以上のプログラムを含み得るか、または別のシステムまたはプログラムの一部である画像処理プログラムまたはアルゴリズム、近接センサ処理プログラムまたはアルゴリズム、および／または送信機出力電力調節プログラムまたはアルゴリズムを伴い得る。
【０１０５】
上で説明される方法が、あるイベントがある順序で生じることを示す場合、本開示の利点を有する当業者は、順序が修正され得、そのような修正が本開示の変形例によるものであることを認識するであろう。加えて、方法の一部は、可能であるとき、並行プロセスにおいて並行して実施され得、かつ連続して実施され得る。加えて、方法のより多くの部分またはより少ない部分が、実施され得る。
【０１０６】
故に、実施形態は、請求項の範囲内にあり得る代替、修正、および均等物を例示するように意図される。
【０１０７】
ある例証的実施形態および方法が、本明細書に開示されたが、前述の開示から、そのような実施形態および方法の変形例および修正が開示される技術の真の精神および範囲から逸脱することなく行われることができることが当業者に明白であり得る。開示される技術の多くの他の例が、存在し、それぞれ、詳細の観点においてのみ、その他と異なる。故に、開示される技術は、添付の請求項ならびに適用可能法の規則および原理によって要求される程度までのみ限定されるものとすることが意図される。
【図１Ａ】
0006868695.tif 000002
【図１Ｂ】
0006868695.tif 000003
【図２】
0006868695.tif 000004
【図３】
0006868695.tif 000005
【図４】
0006868695.tif 000006
【図５】
0006868695.tif 000007
【図６】
0006868695.tif 000008
【図７】
0006868695.tif 000009